(57)【要約】【課題】  データが処理されてからの経過日数を容易に認識可能な表示制御システムを提供する。【解決手段】  コンテンツ記録再生システム１００の記録再生装置１０に、コンテンツデータの再生日時を取得するコンテンツ情報生成手段と、コンテンツデータの再生日時からの経過日数に基づいてコンテンツデータに関連付けられたサムネイル画像の表示形態を変更させるグラフィックスおよびサムネイル加工手段と、を備えた。このような構成により、記録再生装置１０は、グラフィックスおよびサムネイル加工手段にて、コンテンツ情報生成手段にて取得したコンテンツデータの再生日時からの経過日数に基づいて、サムネイル画像の表示形態を変更させる。このため、利用者は、サムネイル画像の表示形態からコンテンツデータが最後に再生されてからの経過日数を容易に認識できる。【選択図】      図１
2005108066.tif 000002
【特許請求の範囲】
【請求項１】
コンテンツデータに関連付けられた代表静止画像の表示を制御する表示制御装置であって、
前記コンテンツデータの再生日時記憶手段と、
前記コンテンツデータの再生日時からの経過日数に基づいて前記コンテンツデータに関連付けられた代表静止画像の表示形態を変更させる表示形態変更手段と、
を備えたことを特徴とする表示制御装置。
【請求項２】
請求項１に記載の表示制御装置であって、
前記表示形態変更手段は、前記代表静止画像の表示要求日時と、前記コンテンツデータの再生日時との差分を演算することにより前記経過日数を求める
ことを特徴とする表示制御装置。
【請求項３】
請求項１または請求項２に記載の表示制御装置であって、
前記再生日時記憶手段は、前記コンテンツデータが再生されたコンテンツ再生時間が所定時間以上になった時、前記コンテンツデータ再生日時を記憶する
ことを特徴とする表示制御装置。
【請求項４】
請求項１ないし請求項３のいずれか一項に記載の表示制御装置であって、
前記表示形態は、透明度、色調、表示有無、サイズ変化のうちの少なくともいずれか一つを含む
ことを特徴とする表示制御装置。
【請求項５】
請求項１ないし請求項４のいずれか一項に記載の表示制御装置であって、
前記表示形態変更手段は、前記コンテンツデータから前記代表静止画像を生成し、この生成した前記代表静止画像の表示形態を変更させる
ことを特徴とする表示制御装置。
【請求項６】
コンテンツデータに関連付けられた代表静止画像を表示する表示制御方法であって、
前記コンテンツデータの再生日時記憶工程と、
前記コンテンツデータの再生日時から前記代表静止画像を表示した日時までの経過日数に基づいて前記コンテンツデータに関連付けられた代表静止画像の表示形態を変更させる表示形態変更工程と、
を備えたことを特徴とする表示制御方法。
【請求項７】
請求項６に記載の表示制御方法を実施するプログラムが読み取り可能に記録された
ことを特徴とする記録媒体。
【発明の詳細な説明】
【技術分野】
【０００１】
本発明は、コンテンツデータに関連付けられた代表静止画像を表示手段に表示させる表示制御装置、表示制御方法、および、表示制御方法を実施するプログラムを記録した記録媒体に関する。
【背景技術】
【０００２】
従来、例えば映像データなどのコンテンツデータの再生日時に基づいて、このコンテンツデータに関連付けられた代表静止画像を並べ替えて表示部などにメニュー表示させる表示制御装置が知られている。なお、以下において、コンテンツデータに関連付けられた代表静止画像をサムネイルまたはアイコンと適宜称して説明する。
【０００３】
さらに、例えばサムネイルやコンテンツデータが記憶装置などに記憶された記憶日時と現在日時との差分に基づいて、サムネイルの表示形態を変更して表示部などに表示させる表示制御装置が知られている（例えば、特許文献１および特許文献２参照）。
【０００４】
【特許文献１】特開平１０−２０７７５２号公報（第３頁左欄−第４頁右欄）
【特許文献２】特開２００２−７７７７９号公報（第７頁左欄−第８頁左欄）
【発明の開示】
【発明が解決しようとする課題】
【０００５】
特許文献１および特許文献２の表示制御装置のように、サムネイルやコンテンツデータが記憶装置などに記憶された記憶日時からの経過日数に基づいて、サムネイルの表示形態を変更して表示部などに表示させる構成では、サムネイルの表示形態からコンテンツデータが再生されてからの経過日数を認識できないという問題が一例として挙げられる。
【０００６】
また、コンテンツデータの再生日時に基づいてサムネイルを並べ替えて表示させただけでは、コンテンツデータの再生日時の順序は表現できても、再生されてからの経過日数の度合いを容易に認識できないという問題が一例として挙げられる。
【０００７】
本発明は、このような点に鑑みて、データが処理されてからの経過日数を容易に認識可能な表示制御装置、表示制御方法、および、表示制御方法を実施するプログラムを記録した記録媒体を提供することを目的とする。
【課題を解決するための手段】
【０００８】
請求項１に記載の発明は、コンテンツデータに関連付けられた代表静止画像の表示を制御する表示制御装置であって、前記コンテンツデータの再生日時記憶手段と、前記コンテンツデータの再生日時からの経過日数に基づいて前記コンテンツデータに関連付けられた代表静止画像の表示形態を変更させる表示形態変更手段と、を備えたことを特徴とする表示制御装置である。
【０００９】
請求項６に記載の発明は、コンテンツデータに関連付けられた代表静止画像を表示する表示制御方法であって、前記コンテンツデータの再生日時記憶工程と、前記コンテンツデータの再生日時から前記代表静止画像を表示した日時までの経過日数に基づいて前記コンテンツデータに関連付けられた代表静止画像の表示形態を変更させる表示形態変更工程と、を備えたことを特徴とする表示制御方法である。
【００１０】
請求項７に記載の発明は、請求項６に記載の表示制御方法を実施するプログラムが読み取り可能に記録されたことを特徴とする記録媒体。
【発明を実施するための最良の形態】
【００１１】
［第１実施形態］
以下に、本発明に係る第１実施形態を図面に基づいて説明する。図１は、本実施形態におけるコンテンツ記録再生システムの概略構成を示すブロック図である。図２は、記録再生装置のＨＤＤに記憶されたコンテンツ情報の概略構成を示す模式図である。図３は、コンテンツ情報に組み込まれたメインＴＳパケットの概略構成を示す模式図である。図４は、記録再生装置のＲＡＭの概略構成を示す模式図である。図５は、記録再生装置のＣＰＵの概略構成を示すブロック図である。
【００１２】
〔コンテンツ記録再生システムの構成〕
図１において、１００は表示制御システムとしてのコンテンツ記録再生システム（以下、記録再生システムと称する）であり、記録再生装置に記録された、例えばテレビ番組などのコンテンツを再生するためのデータとしての映像データを有するコンテンツデータを、最後に再生してからの経過日数に基づいて、このコンテンツデータに関連付けられた代表静止画像としてのサムネイルの表示形態を変更して表示させるシステムである。そして、記録再生システム１００は、表示制御装置としての記録再生装置１０と、表示手段としての出力装置３０と、を備えている。
【００１３】
記録再生装置１０は、ＴＳ（Transport Stream）として配信され音声データ、映像データ、データ放送用データなどを有するコンテンツデータを記録する。また、記録したコンテンツデータを適宜出力して出力装置３０で再生させる。さらに、コンテンツデータを最後に再生してからの経過日数に基づいた表示形態のサムネイルを生成して出力装置３０に表示させる。そして、この記録再生装置１０は、ネットワークインターフェースモジュール（以下、ＮＩＭと称する）１１と、デマルチプレクサ（以下、Ｄｅｍｕｘと称する）１２と、オーディオデコーダ（以下、ＡＤｅｃと称する）１３と、ビデオデコーダ（以下、ＶＤｅｃと称する）１４と、データデコーダ（以下、ＤＤｅｃと称する）１５と、オンスクリーンディスプレイ（以下、ＯＳＤと称する）１６と、表示形態変更手段としてのグラフィックス（以下、ＧＦＸと称する）１７と、記録部１８と、再生部１９と、リモコン受光部２０と、ハイスピードインターフェース（以下、ＨＳＩと称する）２１と、記憶手段としてのハードディスク（以下、ＨＤＤと称する）２２と、ＲＡＭ（Random Access Memory）２３と、ＲＯＭ（Read Only Memory）２４と、ＣＰＵ（Central Processing Unit）２５と、などを備えている。
【００１４】
ＮＩＭ１１には、例えばデジタル放送の放送波を受信するアンテナ２６が接続されている。また、ＮＩＭ１１は、Ｄｅｍｕｘ１２に接続されている。さらに、ＮＩＭ１１は、ＣＰＵ２５に接続されている。このＮＩＭ１１は、ＣＰＵ２５の制御により、アンテナ２６により受信されこのアンテナ２６から出力される信号Ｓanを取得する。そして、この取得した信号Ｓanを所望されているチャンネルに対応するデジタル信号Sniに適宜変換してＤｅｍｕｘ１２へ出力する。
【００１５】
Ｄｅｍｕｘ１２は、ＡＤｅｃ１３と、ＶＤｅｃ１４と、ＤＤｅｃ１５と、記録部１８と、再生部１９と、ＨＳＩ２１と、に接続されている。また、Ｄｅｍｕｘ１２は、ＣＰＵ２５にも接続されている。このＤｅｍｕｘ１２は、ＣＰＵ２５の制御により、ＮＩＭ１１から出力されるデジタル信号ＳniやＨＳＩ２１から出力されるデジタル信号Shtを取得する。この後、この取得したデジタル信号Sniやデジタル信号Shtに記載されたＴＳから、予め選択しているチャンネルに対応する各種データが組み込まれた特定のＴＳパケットを取得する。そして、音声データが組み込まれたＴＳパケットを音声情報Sdoに適宜変換してＡＤｅｃ１３へ出力する。また、映像データが組み込まれたＴＳパケットを映像情報Sdeに適宜変換してＶＤｅｃ１４へ出力する。さらに、データ放送用データが組み込まれたＴＳパケットをデータ情報Sddに適宜変換してＤＤｅｃ１５へ出力する。なお、以下において、音声データが組み込まれたＴＳパケットを音声パケット、映像データが組み込まれたＴＳパケットを映像パケット、データ放送用データが組み込まれたＴＳパケットをデータパケットと適宜称して説明する。
【００１６】
また、Ｄｅｍｕｘ１２は、ＣＰＵ２５の制御により、ＮＩＭ１１から出力されるデジタル信号SniやＨＳＩ２１から出力されるデジタル信号Shtを取得する。そして、この取得したデジタル信号Sniやデジタル信号Shtに記載されたＴＳから、ＣＰＵ２５により指示されたパケットＩＤで識別されるＴＳパケットを取得する。この後、この取得したＴＳパケットを記録信号Ｓdkとして記録部１８へ出力する。
【００１７】
さらに、Ｄｅｍｕｘ１２は、ＣＰＵ２５の制御により、再生部１９から出力される再生信号Ｓpzを取得する。そして、この取得した再生信号Ｓpzに記載された後述するメインＴＳパケット４３Ａを取得する。この後、音声データが組み込まれたメインＴＳパケット４３Ａを音声情報Sdoに適宜変換してＡＤｅｃ１３へ出力する。また、映像データが組み込まれたメインＴＳパケット４３Ａを映像情報Sdeに適宜変換してＶＤｅｃ１４へ出力する。さらに、データ放送用データが組み込まれたメインＴＳパケット４３Ａをデータ情報Sddに適宜変換してＤＤｅｃ１５へ出力する。なお、以下において、音声データが組み込まれたメインＴＳパケット４３Ａを音声メインパケット４３Ａ、映像データが組み込まれたメインＴＳパケット４３Ａを映像メインパケット４３Ａ、データ放送用データが組み込まれたメインＴＳパケット４３Ａをデータメインパケット４３Ａと適宜称して説明する。
【００１８】
ＡＤｅｃ１３は、出力装置３０に接続されている。また、ＡＤｅｃ１３は、ＣＰＵ２５にも接続されている。このＡＤｅｃ１３は、ＣＰＵ２５の制御により、Ｄｅｍｕｘ１２から出力される音声情報Sdoに記載された音声パケットや音声メインパケット４３Ａを取得する。そして、これら取得した音声パケットや音声メインパケット４３Ａに組み込まれた音声データを復調した音声信号Ｓotとして出力装置３０へ出力する。
【００１９】
ＶＤｅｃ１４は、ＧＦＸ１７に接続されている。また、ＶＤｅｃ１４は、ＣＰＵ２５にも接続されている。このＶＤｅｃ１４は、ＣＰＵ２５の制御により、Ｄｅｍｕｘ１２から出力される映像情報Sdeに記載された映像パケットや映像メインパケット４３Ａを取得する。そして、これら取得した映像パケットや映像メインパケット４３Ａに組み込まれた映像データを復調した音声信号ＳeiとしてＧＦＸ１７へ出力する。
【００２０】
ＤＤｅｃ１５は、ＯＳＤ１６に接続されている。また、ＤＤｅｃ１５は、ＣＰＵ２５にも接続されている。このＤＤｅｃ１５は、ＣＰＵ２５の制御により、Ｄｅｍｕｘ１２から出力されるデータ情報Sddに記載されたデータパケットやデータメインパケット４３Ａを取得する。そして、これら取得したデータパケットやデータメインパケット４３Ａに組み込まれたデータ放送用データを復調したデータ信号ＳhsとしてＯＳＤ１６へ出力する。
【００２１】
ＯＳＤ１６は、ＧＦＸ１７に接続されている。また、ＯＳＤ１６は、ＣＰＵ２５にも接続されている。このＯＳＤ１６は、ＣＰＵ２５の制御により、ＤＤｅｃ１５から出力される復調したデータ信号Shsに記載された字幕などの副映像情報を映像情報SosとしてＧＦＸ１７に出力する。
【００２２】
また、ＯＳＤ１６は、ＣＰＵ２５の制御により、ＲＡＭ２３から出力される例えばＪＰＥＧ（Joint Photographic Expert Group）形式の画像データなどが記載された画像情報Sukに記載された画像データを映像情報ＳosとしてＧＦＸ１７へ出力する。
【００２３】
ＧＦＸ１７は、出力装置３０に接続されている。また、ＧＦＸ１７は、ＣＰＵ２５にも接続されている。このＧＦＸ１７は、ＣＰＵ２５の制御により、ＶＤｅｃ１４から出力される復調した音声信号Ｓeiを取得する。また、ＣＰＵ２５の制御により、ＯＳＤ１６から出力される映像情報Ｓosに記載された副映像情報や画像データなどを取得する。そして、これら取得した復調した音声信号Sei、副映像情報、画像データなどを適宜選択的に重畳させて重畳映像情報を生成する。この後、この重畳映像情報を出力情報Ｓgmとして出力装置３０へ出力する。
【００２４】
また、ＧＦＸ１７は、ＣＰＵ２５の制御により、ＯＳＤ１６から出力される画像データに処理を適宜施すことにより、透過度を示す情報であるアルファ値が設定された画像を生成する。なお、以下において、アルファ値が設定された画像データを仮想グラフィックスプレーンと適宜称して説明する。そして、ＧＦＸ１７は、複数の仮想グラフィックスプレーンを適宜重畳させて、この重畳させた仮想グラフィックスプレーンを出力情報Ｓgmとして出力装置３０へ出力する。
【００２５】
記録部１８は、ＨＤＤ２２に接続されている。また、記録部１８は、ＣＰＵ２５にも接続されている。そして、この記録部１８は、バッファ１８Ａと、記録処理部１８Ｂと、などを備えている。バッファ１８Ａは、Ｄｅｍｕｘ１２から出力されるＴＳパケットを一時的に記憶する。記録処理部１８Ｂは、ＣＰＵ２５の制御により、Ｄｅｍｕｘ１２から出力される記録信号Sdkに記載されたＴＳパケットを取得し、バッファ１８Ａに適宜読み出し可能に記憶させる。そして、バッファ１８Ａに記憶させたＴＳパケットを適宜読み出し、所定の処理を施すことによりメインＴＳパケット４３Ａを生成する。そして、このメインＴＳパケット４３Ａを記録信号Sreに適宜変換してＨＤＤ２２へ出力する。なお、記録処理部１８Ｂにて、メインＴＳパケット４３Ａを生成する処理については後述する。
【００２６】
再生部１９は、ＨＤＤ２２に接続されている。また、再生部１９は、ＣＰＵ２５にも接続されている。そして、この再生部１９は、バッファ１９Ａと、再生処理部１９Ｂと、などを備えている。バッファ１９Ａは、ＨＤＤ２２から出力されるメインＴＳパケット４３Ａを一時的に記憶する。再生処理部１９Ｂは、ＣＰＵ２５の制御により、ＨＤＤ２２から出力される再生信号Ｓpyに記載されたメインＴＳパケット４３Ａを取得し、バッファ１９Ａに適宜読み出し可能に記憶させる。そして、バッファ１９Ａに記憶させたメインＴＳパケット４３Ａを適宜読み出し、再生信号Ｓpzに適宜変換してＤｅｍｕｘ１２やＨＳＩ２１へ出力する。
【００２７】
リモコン受光部２０は、図示しないリモートコントローラ（以下、リモコンと称する）より出力される例えば赤外線を受光する。そして、この赤外線が有する伝達信号を操作信号Srmに適宜変換してＣＰＵ２５へ出力する。
【００２８】
ＨＳＩ２１は、高速情報処理が可能な例えばＩＥＥＥ（Institute of Electrical and Electronic Engineers）１３９４規格のインターフェースである。このＨＳＩ２１は、記録再生装置１０の外部に設けられた図示しない外部装置から出力される処理信号Ｓciに記載された例えばＴＳを取得する。そして、この取得したＴＳをデジタル信号Shtに適宜変換して例えばＤｅｍｕｘ１２へ出力する。また、ＨＳＩ２１は、例えば再生部１９から出力される再生信号Ｓpzに記載された例えばメインＴＳパケット４３Ａを取得する。そして、この取得したメインＴＳパケット４３Ａを処理信号Sciに適宜変換して、記録再生装置１０の外部に設けられた図示しない外部装置へ出力する。
【００２９】
ＨＤＤ２２は、再生部１９に接続されている。また、ＨＤＤ２２は、ＣＰＵ２５にも接続されている。このＨＤＤ２２は、ＡＴＡ（AT Attachment）インターフェースにより制御される。なお、ここではＨＤＤ２２がＡＴＡインターフェースにより制御される構成について例示するが、ＩＤＥ（Integrated Drive Electronics）インターフェースやＳＣＳＩ（Small Computer System Interface）インターフェースなどで制御される構成としてもよい。また、ここでは記憶手段としてＨＤＤ２２を用いた構成について例示したがこれに限られない。このＨＤＤ２２は、複数の図２に示すような、データ情報としてのコンテンツ情報４０などを適宜読み出し可能に記憶している。
【００３０】
コンテンツ情報４０は、コンテンツデータを再生するための情報である。このコンテンツ情報４０は、コンテンツ付加情報記憶部であるコンテンツ付加情報４１と、メインＴＳに関連付けられた情報の記憶部であるプログラム情報４２と、コンテンツデータ記憶部であるメインＴＳ４３と、などにより構成されたテーブル構造である。
【００３１】
プログラム情報４２は、メインＴＳ４３に関連付けられた情報である。このプログラム情報４２は、コンテンツデータが再生済みか未再生であるかを示すフラグ情報としての再生済みフラグ４２Ａと、再生日付記録部としてのアクセスタイム４２Ｂと、代表静止画像記憶部としてのサムネイル４２Ｃと、などが１つのデータ構造として構成されたテーブル構造である。
【００３２】
再生済みフラグ４２Ａは、例えば１バイトの情報である。この再生済みフラグ４２Ａは、コンテンツ情報４０に関連付けられたコンテンツデータが再生されたか否かを示すフラグ情報である。具体的には、再生済みフラグ４２Ａが「０」であればコンテンツデータが１回も再生されていないことを示し、「１」であればコンテンツデータが少なくとも１回は再生されていることを示す。
【００３３】
アクセスタイム４２Ｂは、例えば５バイトの情報である。このアクセスタイム４２Ｂは、コンテンツデータが最後に再生された日時に関する情報である。具体的には、再生済みフラグ４２Ａが「１」の場合、すなわちコンテンツデータが少なくとも１回は再生されている場合には、アクセスタイム４２Ｂには、コンテンツデータが最後に再生された日時情報が記載されている。一方で、再生済みフラグ４２Ａが「０」の場合、すなわちコンテンツデータが１回も再生されていない場合には、アクセスタイム４２Ｂにはコンテンツが記録された日時が記録されている。
【００３４】
サムネイル４２Ｃは、例えばＪＰＥＧ形式の代表静止画像である。なお、ここではサムネイル４２ＣとしてＪＰＥＧ形式の代表静止画像を用いた構成について例示するが、これに限らず例えばＧＩＦ（Graphics Interchange Format）形式やビットマップ形式などのいずれの形式を用いてもよい。
【００３５】
メインＴＳ４３は、ＮＩＭ１１にて取得するＴＳから特定のコンテンツに関するＴＳのみを選択的に取得して構成された、いわゆるパーシャルＴＳとして記録されたコンテンツを再生するためのデータである。このメインＴＳ４３は、複数の図３に示すようなメインＴＳパケット４３Ａにより構成されている。さらに、メインＴＳパケット４３Ａは、コピー制御フラグ４３Ｂと、到着時刻４３Ｃと、ＴＳパケット４３Ｄと、などにより構成されたテーブル構造である。
【００３６】
コピー制御フラグ４３Ｂは、例えば２ビットの情報である。このコピー制御フラグ４３Ｂは、ＴＳパケット４３Ｄに組み込まれた各種データの複製を制御するフラグ情報である。このコピー制御フラグ４３Ｂにより、例えばＴＳパケット４３Ｄに組み込まれた各種データの複製を許可しない、制約条件なしに複製を許可するなどの情報が示される。
【００３７】
到着時刻４３Ｃは、例えば３０ビットの情報である。この到着時刻４３Ｃは、メインＴＳパケット４３ＡがＨＤＤ２２に記憶された時刻に関する情報である。
【００３８】
ＴＳパケット４３Ｄは、例えば１８８バイトの情報である。このＴＳパケット４３Ｄは、音声データ、映像データ、データ放送用データ、ＰＡＴ（Program Associatian Table）、ＰＭＴ（Program Map Table）、ＳＩＴ（Selection Information Table）などの情報が組み込まれたパケットである。
【００３９】
コンテンツ付加情報４１は、プログラム情報４２のファイル名、画像固有情報としてのサムネイル４２Ｃのファイル名、データ固有情報としてのメインＴＳ４３のファイル名、などのコンテンツ情報４０に関連する付加情報である。
【００４０】
ＲＡＭ２３は、ＮＩＭ１１から出力されるＴＳから所望のコンテンツデータを取得して記録する際や、記録したコンテンツデータを再生する際に必要な各種データなどを適宜読み出し可能に記憶する。このＲＡＭ２３は、図４に示すように、プログラム使用領域２３Ａと、ＰＡＴ記憶領域２３Ｂと、ＰＭＴ記憶領域２３Ｃと、交換ＰＡＴ記憶領域２３Ｄと、交換ＰＭＴ記憶領域２３Ｅと、ＳＩＴ記憶領域２３Ｆと、画像記憶領域２３Ｇと、を備えている。なお、ここではＲＡＭ２３が上述した７つの記憶領域を備えた構成について例示したが、これに限らず例えばＲＡＭ２３に上述した記憶領域を備えない構成や、８つ以上の記憶領域を備えた構成などとしてもよい。また、ＲＡＭ２３としては、ＨＤや光ディスクなどの記録媒体に読み出し可能に記憶するドライブやドライバなどを備えた構成などとしてもよい。
【００４１】
プログラム使用領域２３Ａは、コンテンツ情報４０の生成処理や更新処理、仮想グラフィックスプレーンのアルファ値を決定する処理に必要な各種データを適宜読み出し可能に記憶する。
【００４２】
ＰＡＴ記憶領域２３Ｂは、コンテンツデータの記録処理の際に、ＴＳパケットに組み込まれたＰＡＴを適宜読み出し可能に記憶する。また、コンテンツデータの再生処理の際に、メインＴＳパケット４３Ａに組み込まれたＰＡＴを適宜読み出し可能に記憶する。
【００４３】
ＰＭＴ記憶領域２３Ｃは、コンテンツデータの記録処理の際に、ＴＳパケットに組み込まれたＰＭＴを適宜読み出し可能に記憶する。また、コンテンツデータの再生処理の際に、メインＴＳパケット４３Ａに組み込まれたＰＭＴを適宜読み出し可能に記憶する。
【００４４】
交換ＰＡＴ記憶領域２３Ｄは、コンテンツデータの記録処理の際に、メインＴＳパケット４３Ａに組み込むためのＰＡＴを適宜読み出し可能に記憶する。
【００４５】
交換ＰＭＴ記憶領域２３Ｅは、コンテンツデータの記録処理の際に、メインＴＳパケット４３Ａに組み込むためのＰＭＴを適宜読み出し可能に記憶する。
【００４６】
ＳＩＴ記憶領域２３Ｆは、コンテンツデータの記録処理の際に、メインＴＳパケット４３Ａに組み込むためのＳＩＴを適宜読み出し可能に記憶する。
【００４７】
画像記憶領域２３Ｇは、コンテンツデータの記録処理の際に、コンテンツ情報４０のプログラム情報４２にサムネイル４２Ｃとして組み込むための画像データを適宜読み出し可能に記憶する。
【００４８】
ＲＯＭ２４は、記録再生装置１０全体を動作制御するＯＳ（Operating System）上に展開される各種プログラムなどを適宜読み出し可能に記憶している。なお、ＲＯＭ２４の代わりに、ＨＤＤ（Hard Disc）や光ディスクなどの記録媒体に読み出し可能に記憶するドライブやドライバなどを備えた構成などとしてもよい。
【００４９】
ＣＰＵ２５は、図５に示すように各種プログラムとしての記録制御手段２５Ａと、日付情報及び時間情報を取得するための再生日時記憶手段である日時取得手段としてのコンテンツ情報生成手段２５Ｂと、表示形態変更手段としてのサムネイル加工手段２５Ｃと、再生制御手段２５Ｄと、計時手段２５Ｅと、カウンタ２５Ｆと、などを制御する。
【００５０】
記録制御手段２５Ａは、ＮＩＭ１１、Ｄｅｍｕｘ１２、記録部１８などの動作を制御して、所望のコンテンツデータをＨＤＤ２２に適宜読み出し可能に記憶させる。具体的には、リモコン受光部２０から入力される操作信号Srmに基づいて、所望のコンテンツデータをＨＤＤ２２に記録する旨を要求する情報を認識する。
【００５１】
コンテンツ情報生成手段２５Ｂは、コンテンツ情報４０を生成して、このコンテンツ情報４０をＨＤＤ２２に適宜読み出し可能に記憶させる。また、コンテンツ情報生成手段２５Ｂは、再生制御手段２５Ｄにて再生されたコンテンツデータのコンテンツ情報４０を適宜読み出す。そして、このコンテンツ情報４０に組み込まれたプログラム情報４２を適宜更新する。
【００５２】
サムネイル加工手段２５Ｃは、コンテンツデータが少なくとも１回は再生されているか否かを判断する。そして、コンテンツデータが１回も再生されていないと判断した場合には、コンテンツデータが１回も再生されていないことを示す表示形態のサムネイルを表示させるための仮想グラフィックスプレーンを生成させる。一方で、コンテンツデータが少なくとも１回は再生されていると判断した場合には、コンテンツデータが最後に再生された日と現在の日付との差分である経過日数を算出して認識する。そして、認識した経過日数に基づいた表示形態のサムネイルを表示させるための仮想グラフィックスプレーンを生成させる。
【００５３】
再生制御手段２５Ｄは、Ｄｅｍｕｘ１２、ＡＤｅｃ１３、ＶＤｅｃ１４、ＤＤｅｃ１５、ＧＦＸ１７、再生部１９などの動作を制御して、所望のコンテンツデータを出力装置３０へ出力する。
【００５４】
計時手段２５Ｅは、例えば内部クロックなどの基準パルスに基づいて現在時刻を認識する。
【００５５】
カウンタ２５Ｆは、ＧＦＸ１７にて生成された仮想グラフィックスプレーンの数を計数する。
【００５６】
出力装置３０は、例えばパーソナルコンピュータ、テレビ、携帯電話、ＰＤＡ（Personal Digital Assistant）などが例示できる。この出力装置３０は、記録再生装置１０から入力されるコンテンツデータを受信して出力する。そして、この出力装置３０は、音声出力部３１と表示部３２と、などを備えている。
【００５７】
音声出力部３１は、例えば図示しないスピーカなどの発音手段を有している。この音声出力部３１は、ＡＤｅｃ１３から入力される復調した音声信号Sotに記載された音声データを発音手段から音声により出力する。
【００５８】
表示部３２は、ＧＦＸ１７から入力される出力情報Ｓgmに記載された重畳映像ストリームの映像データや仮想グラフィックスプレーンなどを表示させる。この表示部３２には、例えば液晶や有機ＥＬ（Electro Luminescence）パネル、ＰＤＰ（Plasma Display Panel）、ＣＲＴ（Cathode-Ray Tube）などが用いられる。
【００５９】
〔コンテンツ記録再生システムの動作〕
次に、記録再生システム１００の動作について、図面を参照して説明する。図６は、コンテンツデータの記録処理を示すフローチャートである。図７および図８は、サムネイルの表示処理を示すフローチャートである。図９は、経過日数とアルファ値との関係を示すグラフである。図１０は、コンテンツデータを再生した日付とサムネイルを出力装置に表示させる日付との関係を示す模式図で、（Ａ）はコンテンツデータを２００２年５月３１日に再生した後、同日にサムネイルを表示させた場合の模式図で、（Ｂ）は（Ａ）からコンテンツデータを再生することなく２００２年６月１４日にサムネイルを表示させた場合の模式図で、（Ｃ）は（Ｂ）からコンテンツデータを再生することなく２００３年６月１５日にサムネイルを表示させた場合の模式図である。図１１は、出力装置に表示されるサムネイルを示す模式図である。図１２は、コンテンツデータの再生処理を示すフローチャートである。
【００６０】
（コンテンツデータの記録処理）
最初に、コンテンツデータの記録処理について、図６に基づいて説明する。まず、利用者は、図示しないリモコンの設定操作により所望のコンテンツを再生するためのコンテンツデータを記録再生装置１０に記録させる、すなわち所望のコンテンツデータを有するメインＴＳ４３をＨＤＤ２２に記憶させる旨の記録要求情報を生成する。そして、この記録要求情報を赤外線を利用して記録再生装置１０へ送信する。
【００６１】
記録再生装置１０は、図６に示すように、リモコン受光部２０を介してＣＰＵ２５の記録制御手段２５Ａにて記録要求情報を取得すると、この記録要求情報に基づいて、記録すべきコンテンツの周波数およびＴＳＩＤ（Transport Stream identity）を認識する。そして、この認識した周波数およびＴＳＩＤにより特定されるＴＳをＮＩＭ１１に取得させ、この取得したＴＳをＤｅｍｕｘ１２へ出力させる（ステップＳ１０１）。
【００６２】
記録制御手段２５Ａは、メインＴＳ４３の記録中止を要求する旨の記録中止指示情報を受信したか否かを判断する（ステップＳ１０２）。この記録中止指示情報は、例えば利用者によるリモコンの設定操作により生成され、赤外線を利用してリモコン受光部２０に入力される。
【００６３】
記録制御手段２５Ａは、ステップＳ１０２において、記録中止指示情報を受信していないと判断した場合には、計時手段２５Ｅから現在時刻を適宜取得する。
【００６４】
一方で、ステップＳ１０２において、記録中止指示情報を受信したと判断した場合には、記録再生装置１０は、コンテンツ情報生成手段２５Ｂにて、ＨＤＤ２２に記憶させたメインＴＳ４３を読み出し、ＲＡＭ２３のプログラム使用領域２３Ａに記憶させる。そして、このメインＴＳ４３のファイル名を決定する（ステップＳ１０３）。
【００６５】
また、コンテンツ情報生成手段２５Ｂは、メインＴＳ４３のコンテンツデータが１回も再生されていないことを示すフラグ情報を生成する。また、画像記憶領域２３Ｇに記憶された代表静止画像を取得して、この代表静止画像を例えばＪＰＥＧ形式に変換する。そして、生成したフラグ情報を再生済みフラグ４２Ａとして、変換した代表静止画像をサムネイル４２Ｃとして組み込んだプログラム情報４２を生成して、プログラム使用領域２３Ａに記憶させる。なお、このとき生成されるプログラム情報４２のアクセスタイム４２Ｂに記録中止指示情報を受信した時の日付を記録してもよい。この後、このプログラム情報４２のファイル名を決定する（ステップＳ１０４）。
【００６６】
コンテンツ情報生成手段２５Ｂは、ステップＳ１０３において決定したメインＴＳ４３のファイル名と、ステップＳ１０４において決定したプログラム情報４２のファイル名と、などを組み込んだコンテンツ付加情報４１を生成する（ステップＳ１０５）。そして、プログラム情報４２およびメインＴＳ４３をプログラム使用領域２３Ａから読み出す。この後、コンテンツ付加情報４１と、メインＴＳ４３と、プログラム情報４２と、を組み込んだコンテンツ情報４０を生成してＨＤＤ２２に記憶させ（ステップＳ１０６）、コンテンツデータの記録処理を終了する。
【００６７】
このコンテンツデータの記録処理を実施した後、ＶＤｅｃ１４は、サムネイル生成要求情報を取得すると、このサムネイル生成要求情報に基づいて、Ｄｅｍｕｘ１２から出力される映像パケットに組み込まれた映像データから１フレーム分の代表静止画像を取得する。そして、取得した代表静止画像を画像記憶領域２３Ｇに適宜読み出し可能に記憶させる。
【００６８】
（サムネイルの表示処理）
次に、サムネイルの表示処理について、図７ないし図１１に基づいて説明する。まず、利用者は、リモコンの設定操作により、記録再生装置１０に記録されたコンテンツデータのサムネイルを出力装置３０に表示させる旨を要求する要求信号としてのサムネイル表示要求情報を生成する。そして、このサムネイル表示要求情報を赤外線を利用して記録再生装置１０へ送信する。
【００６９】
記録再生装置１０は、図７に示すように、リモコン受光部２０を介してサムネイル加工手段２５Ｃにてサムネイル表示要求情報を取得すると、このサムネイル表示要求情報に基づいて、サムネイルを出力装置３０に表示させる旨の要求を認識する（ステップＳ４０１）。次に、サムネイル加工手段２５Ｃは、計時手段２５Ｅから現在の日付を含む現在日時を取得し、この現在日時を表示要求日時としての操作日時Ｔとしてプログラム使用領域２３Ａに記憶させる（ステップＳ４０２）。この後、ＨＤＤ２２に記憶されたコンテンツ情報４０の数を認識し、この認識したコンテンツ情報４０の数を出力装置３０に表示させるサムネイルの表示数ｎとして認識する（ステップＳ４０３）。なお、ここではＨＤＤ２２に記憶されたコンテンツ情報４０の数を認識することにより表示数ｎを認識する構成について例示したが、これに限らず例えば以下のような構成などとしてもよい。すなわち、ＨＤＤ２２に、このＨＤＤ２２に記憶されたコンテンツ情報４０の数に関連付けられたコンテンツ数情報を適宜読み出し可能に記憶させる。そして、このコンテンツ数情報を参照することにより、表示数ｎを認識する構成などとしてもよい。
【００７０】
この後、サムネイル加工手段２５Ｃは、ステップＳ４０３において認識した表示数ｎに基づいて、出力装置３０に表示させるサムネイルである仮想グラフィックスプレーンの出力サイズ、出力位置などを適宜決定する。そして、ＧＦＸ１７を制御して、例えば「コンテンツ選択画面」「コンテンツを選択してください」などの文字が記載されたベースグラフィックスを１番目の仮想グラフィックスプレーンに展開する（ステップＳ４０４）。この後、カウンタ２５Ｆのカウンタ値ｉを１に設定する（ステップＳ４０５）。
【００７１】
次に、サムネイル加工手段２５Ｃは、図８に示すように、カウンタ値ｉから１を引いた値、すなわち（ｉ−１）がサムネイルの表示数ｎに達しているか否かを判断する（ステップＳ４０６）。そして、表示数ｎに達していると判断した場合には、表示中止指示情報を受信しているか否かを判断する（ステップＳ４０７）。この表示中止指示情報は、例えば利用者によるリモコンの設定操作により生成され、赤外線を利用してリモコン受光部２０に入力される。
【００７２】
サムネイル加工手段２５Ｃは、ステップＳ４０７において、表示中止指示情報を受信していると判断した場合には、サムネイルの表示処理を終了する。
【００７３】
一方で、ステップＳ４０７において、表示中止指示情報を受信していないと判断した場合には、コンテンツデータの再生を要求する旨の再生要求情報を受信しているか否かを判断する（ステップＳ４０８）。
【００７４】
記録再生装置１０は、ステップＳ４０８において、サムネイル加工手段２５Ｃにて再生要求情報を受信していると判断した場合には、再生制御手段２５Ｄにて後述する図１２に示すようなコンテンツデータの再生処理を開始する（ステップＳ４０９）。そして、サムネイルの表示処理を終了する。
【００７５】
一方で、ステップＳ４０８において、再生要求情報を受信していないと判断した場合には、計時手段２５Ｅから現在日時を取得するとともに、プログラム使用領域２３Ａから操作日時Ｔを取得する。そして、取得した現在日時および操作日時Ｔから、サムネイルの表示処理を開始してから所定時間の例えば３０分が経過したか否かを判断する（ステップＳ４１０）。なお、ここでは所定時間を３０分とした構成について例示したが、これに限らず例えば５分や１時間などとしてもよい。
【００７６】
サムネイル加工手段２５Ｃは、ステップＳ４１０において、所定時間が経過したと判断した場合には、サムネイルの表示処理を終了する。
【００７７】
一方で、ステップＳ４１０において、所定時間が経過していないと判断した場合には、ステップＳ４０７に戻る。
【００７８】
サムネイル加工手段２５Ｃは、ステップＳ４０６において、カウンタ値ｉがサムネイルの表示数ｎに達していないと判断した場合には、例えば以下の処理を実施する。サムネイル加工手段２５Ｃは、出力装置３０にｉ番目に表示させるサムネイル４２Ｃを検索する。このサムネイル４２Ｃを検索する方法としては、例えばＨＤＤ２２にサムネイル４２Ｃが記憶された順番に基づいて検索する方法などが例示できる。そして、サムネイル加工手段２５Ｃは、ＯＳＤ１６に前記検索したサムネイル４２ＣをＨＤＤ２２から取得させる。ＯＳＤ１６は、サムネイル４２Ｃを取得すると、このサムネイル４２Ｃにデコード処理を施しＧＦＸ１７へ出力する。そして、ＧＦＸ１７は、ＯＳＤ１６からデコード処理が施されたサムネイル４２Ｃを取得すると、サムネイル加工手段２５Ｃの制御により、このサムネイル４２Ｃを（ｉ＋１）番目の仮想グラフィックスプレーンに展開する（ステップＳ４１１）。
【００７９】
サムネイル加工手段２５Ｃは、ステップＳ４１１において仮想グラフィックスプレーンに展開されたサムネイル４２Ｃが組み込まれたコンテンツ情報４０を認識する。そして、このコンテンツ情報４０の再生済みフラグ４２Ａを参照して、再生済みフラグ４２Ａが「０」、すなわちメインＴＳ４３のコンテンツデータが１回も再生されていないことを認識した場合には、例えば以下の処理を実施する。サムネイル加工手段２５Ｃは、（ｉ＋１）番目の仮想グラフィックスプレーンのアルファ値以外すなわち透明度以外の設定を変更する。この設定の変更としては、例えば色調をモノトーン調やセピア調などへ変更する構成などが例示できるがこれに限られない。
【００８０】
一方で、サムネイル加工手段２５Ｃは、再生済みフラグ４２Ａを参照して、再生済みフラグ４２Ａが「１」、すなわちコンテンツデータが少なくとも１回は再生されていることを認識した場合には、このコンテンツ情報４０のアクセスタイム４２Ｂを認識する（ステップＳ４１２）。この後、プログラム使用領域２３Ａに記憶させた操作日時Ｔを読み出し、この操作日時Ｔとアクセスタイム４２Ｂとの時間差分、すなわちコンテンツデータが最後に再生されてから経過した日数を求める。そして、サムネイル加工手段２５Ｃは、例えば図９に示すようなグラフに基づいて、求めた経過日数から（ｉ＋１）番目の仮想グラフィックスプレーンのアルファ値を決定する（ステップＳ４１３）。
【００８１】
すなわち、サムネイル加工手段２５Ｃは、経過した日数が０日の場合には、アルファ値を２５５に決定する。また、経過した日数が１ヶ月以上かつ１年未満の場合には、アルファ値を経過日数が一ヶ月である場合と同じ表示にするために０の近傍のαに決定する。さらに、経過した日数が１年以上の場合には、アルファ値を０に決定する。そして、経過日数が１日以上かつ１ヶ月未満の場合には、アルファ値を経過日数に比例させて小さくした値に決定する。なお、ここではアルファ値を図９のグラフに基づいて決定する構成について例示したがこれに限られない。
【００８２】
次に、サムネイル加工手段２５Ｃは、ＧＦＸ１７を制御して、（ｉ＋１）番目の仮想グラフィックスプレーンのアルファ値をステップＳ４１３において決定したアルファ値に設定させる（ステップＳ４１４）とともに、仮想グラフィックスプレーンを予め決定されている出力サイズに変換する。この後、（ｉ＋１）番目の仮想グラフィックスプレーンを、１番目の仮想グラフィックスプレーン、すなわちベースグラフィックスの予め決定されている位置に重畳させて出力装置３０に表示させる（ステップＳ４１５）。
【００８３】
そして、（ｉ＋１）番目の仮想グラフィックスプレーンのアルファ値が図９のグラフに基づいて設定されることにより、出力装置３０の表示部３２における任意の表示領域には、例えば図１０（Ａ）ないし（Ｃ）に示されるような画像５０ｉ（ｉは自然数）が表示される。なお、以下において、仮想グラフィックスプレーンにより出力装置３０に表示される画像５０ｉを、サムネイル画像５０ｉと適宜称して説明する。
【００８４】
例えば、コンテンツデータを２００２年５月３１日に再生した後、同日にサムネイルを表示させる場合には、経過した日数は０日となりアルファ値は２５５に設定される。このため、出力装置３０に表示されるサムネイル画像５０ｉは、図１０（Ａ）に示すように不透明な画像となる。
【００８５】
この後、コンテンツデータを再生することなく２００２年６月１４日にサムネイルを表示させる場合には、経過した日数が１４日なのでアルファ値は２５５よりも低い値に設定される。このため、サムネイル画像５０ｉは、図１０（Ｂ）に示すように半透明な画像となる。
【００８６】
そして、コンテンツデータを再生することなく２００３年６月１５日にサムネイルを表示させる場合には、経過した日数は１年以上なのでアルファ値は０に設定される。このため、サムネイル画像５０ｉは、図１０（Ｃ）に示すように透明な画像となり肉眼で認識できなくなる。
【００８７】
なお、例えば２００３年６月１４日に、図１０（Ｃ）に示すようなサムネイル画像５０ｉを選択することによりコンテンツデータを再生した後、同日にサムネイルを表示させる場合には、経過した日数は０日なのでアルファ値は２５５に設定される。このため、サムネイル画像５０ｉは、図１０（Ａ）に示されるサムネイル画像５０ｉと同一の不透明な画像となる。
【００８８】
また、上述したコンテンツデータが例えば２００２年５月１４日に記録されており、このコンテンツデータを再生することなく２００２年５月２８日にサムネイルを表示させる場合には、コンテンツデータが１回も再生されていない。このような場合には、サムネイル画像５０ｉは、ここでは図示しないが、例えば経過日数により変更する表示形態とは異なる表示形態で表示され、経過日数に対応してその表示形態は変更されないようにしてもよい。また、再生済みコンテンツデータのサムネイル画像と同様に、記録した日付からの経過日数に対応して表示形態を変更させるようにしてもよい。コンテンツデータが再生されたか、未再生であるかは再生済みフラグ４２Ａによって認識することができる。
【００８９】
サムネイル加工手段２５Ｃは、ステップＳ４１５の処理を実施した後に、カウンタ２５Ｆのカウンタ値ｉを１だけ増やし（ステップＳ４１６）、ステップＳ５０６の処理を実施する。
【００９０】
そして、サムネイル加工手段２５Ｃは、ステップ４０６、ステップＳ４１１ないしステップＳ４１６の処理を適宜実施することにより、出力装置３０に、図１１に示すように、６個のサムネイル画像５０ｉを表示させる。例えば２番目の仮想グラフィックスプレーンにより１番目に表示させるコンテンツＡのサムネイル画像５０１を画面上の左上側に、４番目の仮想グラフィックスプレーンにより３番目に表示させるコンテンツＣのサムネイル画像５０３を画面上の右上側に、６番目の仮想グラフィックスプレーンにより５番目に表示させるコンテンツＥのサムネイル画像５０５を画面上の下側中央に表示させる。なお、ここでは出力装置３０に６個のサムネイル画像５０ｉを表示させる構成について例示したが、これに限られない。また、画面上の左上側から順番にサムネイル画像５０ｉを表示させる構成について例示したが、これに限られない。
【００９１】
なお、図１１において、サムネイル画像５０１に関連付けられたコンテンツＡ、および、サムネイル画像５０６に関連付けられたコンテンツＦの経過日数は例えば０日である。このため、サムネイル画像５０１およびサムネイル画像５０６は不透明な画像として表示される。また、サムネイル画像５０２に関連付けられたコンテンツＢの経過日数は例えば１０日である。このため、サムネイル画像５０２は半透明な画像として表示される。さらに、サムネイル画像５０３に関連付けられたコンテンツＣ、および、サムネイル画像５０５に関連付けられたコンテンツＥの経過日数は、コンテンツＢの経過日数よりも長い例えば２０日である。このため、サムネイル画像５０３およびサムネイル画像５０５はサムネイル画像５０３よりも透明度が高い半透明な画像として表示される。また、サムネイル画像５０４に関連付けられたコンテンツＤの経過日数は１年以上である。このため、サムネイル画像５０４は透明な画像となり肉眼では認識できなくなる。
【００９２】
（コンテンツデータの再生処理）
次に、コンテンツデータの再生処理について、図１２に基づいて説明する。まず、利用者は、リモコンの設定操作により所望のコンテンツデータを再生する旨を要求する再生要求情報を記録再生装置１０へ送信する。この再生要求情報は、例えば以下のように生成される。まず、利用者は、図１１に示すように、出力装置３０に複数のサムネイル画像５０ｉが表示されると、これら表示されたサムネイル画像５０ｉのうち１つのサムネイル画像５０ｉの周囲に表示されたカーソル５１を、リモコンの設定操作により所望のコンテンツデータのサムネイル画像５０ｉの周囲に移動させる。そして、リモコンの例えば決定ボタンを押圧することにより、赤外線を利用して再生要求情報を記録再生装置１０へ送信する。
【００９３】
記録再生装置１０は、図１２に示すように、リモコン受光部２０を介して再生制御手段２５Ｄにて再生要求情報を取得する。そして、この再生要求情報に基づいて、コンテンツデータの再生開始が要求された旨を認識する（ステップＳ５０１）。次に、記録再生装置１０は、コンテンツ情報生成手段２５Ｂにて、計時手段２５Ｅから現在の日付を含む現在日時を取得し、この現在日時を再生開始時刻Ｔpとしてプログラム使用領域２３Ａに記憶させる（ステップＳ５０２）。
【００９４】
記録再生装置１０は、再生制御手段２５Ｄにて、再生要求情報に基づいて再生すべきコンテンツデータを有するメインＴＳ４３を認識して、この認識したメインＴＳ４３を再生する旨を要求するメインＴＳ再生要求情報を生成する。そして、このメインＴＳ再生要求情報を再生部１９へ出力し（ステップＳ５０３）コンテンツデータの再生処理を行う。なお、再生すべきメインＴＳ４３を認識する方法としては、例えば以下のような方法が例示できる。すなわち、再生制御手段２５Ｄは、ＨＤＤ２２からカーソル５１に囲まれたサムネイル画像５０ｉに対応するサムネイル４２Ｃを検索する。そして、この検索したサムネイル４２Ｃが組み込まれたコンテンツ情報４０を認識する。この後、この認識したコンテンツ情報４０のコンテンツ付加情報４１を参照してメインＴＳ４３のファイル名を認識することにより、メインＴＳ４３を認識する方法が例示できる。
【００９５】
記録再生装置１０は、所望のコンテンツデータを出力装置３０へ出力した後、コンテンツデータの再生中止を要求する旨の再生中止指示情報を受信したか否かを判断する（ステップＳ５０４）。この再生中止指示情報は、例えば利用者によるリモコンの設定操作により生成され、赤外線を利用してリモコン受光部２０に入力される。
【００９６】
再生制御手段２５Ｄは、ステップＳ５０４において、再生中止指示情報を受信していないと判断した場合には、計時手段２５Ｅから現在時刻を適宜取得して、再びステップＳ５０４の処理を実施する。
【００９７】
一方で、ステップＳ５０４において、再生中止指示情報を受信したと判断した場合には、再生制御手段２５Ｄにて、再生制御手段２５Ｄにてコンテンツデータの再生を中止する。そして、記録再生装置１０は、コンテンツ情報生成手段２５Ｂにて、計時手段２５Ｅから現在日時を取得する。そして、この取得した現在日時を再生終了時刻Ｔeとしてプログラム使用領域２３Ａに記憶させる（ステップＳ５０５）。
【００９８】
コンテンツ情報生成手段２５Ｂは、プログラム使用領域２３Ａに記憶された再生開始時刻Ｔpおよび再生終了時刻Ｔeを読み出す。そして、再生開始時刻Ｔpと再生終了時刻Ｔeとの時間差分、すなわちコンテンツデータのデータ処理期間としての再生時間が予め定められた所定時間の例えば１分よりも大きいか否かを判断する（ステップＳ５０６）。なお、ここでは所定時間を１分とした構成について例示したが、これに限らず例えば３０秒や３分などとしてもよい。
【００９９】
記録再生装置１０は、ステップＳ５０６において、コンテンツ情報生成手段２５Ｂにて、再生時間が１分よりも短いと判断した場合には、コンテンツの再生処理を終了する。
【０１００】
一方で、ステップＳ５０６において、再生時間が１分よりも長いと判断した場合には、例えば以下のような処理を実施する。まず、コンテンツ情報生成手段２５Ｂは、出力したコンテンツデータを有するメインＴＳ４３が組み込まれたコンテンツ情報４０をＨＤＤ２２から検索して読み出す。次に、この読み出したコンテンツ情報４０の再生済みフラグ４２Ａを認識する。そして、再生済みフラグ４２Ａが「０」の場合には、メインＴＳ４３のコンテンツデータが少なくとも１回は再生されたことを示すフラグ情報「１」を生成する。この後、読み出したコンテンツ情報４０の再生済みフラグ４２Ａを生成したフラグ情報「１」に変更する。そして、このコンテンツ情報４０のアクセスタイム４２Ｂに再生終了日付を記載する（ステップＳ５０７）。一方で、読み出したコンテンツ情報４０の再生済みフラグ４２Ａが「１」の場合には、アクセスタイム４２Ｂを再生終了日付に変更する（ステップＳ５０７）。そして、このコンテンツ情報４０をＨＤＤ２２に記憶させ、コンテンツデータの再生処理を終了する。
【０１０１】
〔第１実施形態の作用効果〕
上述したような第１実施形態では、記録再生システム１００の記録再生装置１０は、再生制御手段２５Ｄにてコンテンツデータの再生中止が要求された旨を認識すると、コンテンツ情報生成手段２５Ｂにて再生終了日付をコンテンツデータのアクセスタイム４２Ｂとして取得する。この後、記録再生装置１０は、サムネイル加工手段２５Ｃにて、コンテンツデータのサムネイルを出力装置３０に表示させる旨の要求を認識すると、このコンテンツデータのアクセスタイム４２Ｂを認識する。次に、サムネイル加工手段２５Ｃは、アクセスタイム４２Ｂからの経過日数に基づいて、サムネイル４２Ｃが展開された仮想グラフィックスプレーンのアルファ値を決定する。そして、ＧＦＸ１７を制御して、アルファ値が前記決定された値に設定された仮想グラフィックスプレーンを生成する。この後、この仮想グラフィックスプレーンを出力装置３０へ出力することにより、出力装置３０にサムネイルをアクセスタイム４２Ｂに対応した表示形態で表示させる。
【０１０２】
このように、記録再生装置１０は、仮想グラフィックスプレーンのアルファ値をアクセスタイム４２Ｂからの経過日数に基づいて設定することにより、出力装置３０に例えば図１１に示すように、コンテンツデータが最後に再生されてからの経過日数によって表示形態が異なるサムネイル画像５０ｉを表示させる。このため、利用者は、サムネイル画像５０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【０１０３】
サムネイル加工手段２５Ｃは、サムネイルを表示させる旨の要求を認識すると操作日時Ｔを取得する。そして、操作日時Ｔとアクセスタイム４２Ｂとの時間差分を経過日数と認識し、この経過日数に基づいてアルファ値を決定する。このように、サムネイルを表示させる旨の要求を認識した際の操作日時Ｔを基準にした経過日数に基づいてアルファ値を決定することにより、サムネイル画像５０ｉの表示形態からコンテンツデータが最後に再生されてからの経過日数をより容易に認識できる。このため、各コンテンツに対する嗜好性をより容易に認識できる。
【０１０４】
記録再生装置１０は、再生制御手段２５Ｄにてコンテンツデータの再生開始が要求された旨を認識すると、コンテンツ情報生成手段２５Ｂにて再生開始時刻Ｔpを取得する。また、再生制御手段２５Ｄにてコンテンツデータの再生中止が要求された旨を認識すると、コンテンツ情報生成手段２５Ｂにて再生終了時刻Ｔeを取得する。この後、コンテンツ情報生成手段２５Ｂは、再生開始時刻Ｔpおよび再生終了時刻Ｔeから求められるコンテンツデータの再生時間が所定時間以上であるか否かを判断する。そして、再生時間が所定時間以上であると判断した場合には、再生終了日時をアクセスタイム４２ＢとしてＨＤＤ２２に記憶させることによりアクセスタイム４２Ｂを更新する。一方で、再生時間が所定時間以上でないと判断した場合には、アクセスタイム４２Ｂを更新しない。このような構成により、利用者が、例えば操作を誤って再生させるつもりがないコンテンツデータを再生させた場合でも、その再生時間が所定以下であればアクセスタイム４２Ｂが更新されることがない。このため、アクセスタイム４２Ｂは、利用者が再生させたいコンテンツデータが再生された場合のみに更新される。したがって、このアクセスタイム４２Ｂからの経過日数に基づいて表示形態が変更されたサムネイル画像５０ｉにより、各コンテンツに対する嗜好性をより確実に認識できる。
【０１０５】
サムネイル加工手段２５Ｃは、アクセスタイム４２Ｂからの経過日数に基づいて仮想グラフィックスプレーンのアルファ値すなわち透明度を変更する。このように、仮想グラフィックスプレーンの透明度を変更することにより、サムネイル画像５０ｉの視覚的な認識のし易さを変更できる。このため、各コンテンツに対する嗜好性をより容易にかつ確実に認識できる。また、仮想グラフィックスプレーンのアルファ値を変更するだけの簡単な構成で、サムネイル画像５０ｉの表示形態を変更できる。したがって、サムネイル画像５０ｉの表示形態を変更する処理をより容易にできる。
【０１０６】
サムネイル加工手段２５Ｃは、サムネイル４２Ｃを仮想グラフィックスプレーンに展開した後に、メインＴＳ４３のコンテンツデータが少なくとも１回は再生されているか否かを判断する。この後、コンテンツデータが少なくとも１回は再生されていると判断した場合には、アクセスタイム４２Ｂからの経過日数に基づいて、仮想グラフィックスプレーンのアルファ値を決定する。一方で、コンテンツデータが１回も再生されていないと判断した場合には、仮想グラフィックスプレーンのアルファ値以外の設定を変更、例えば色調をモノトーン調へ変更する。このような構成により、少なくとも１回は再生されたコンテンツデータのサムネイルは、再生されてからの経過日数に基づき透明度が変更されたサムネイル画像５０ｉとして表示される。一方で、１回も再生されていないコンテンツデータのサムネイルは、例えばモノトーン調のサムネイル画像５０ｉとして表示される。このため、サムネイル画像５０ｉの表示形態から１回も再生されていないコンテンツデータを容易に認識できる。また、例えば嗜好性が高いコンテンツデータを１回も再生せずに長時間が経過したとしても、サムネイル画像５０ｉは経過日数によらずモノトーン調で表示されるので、再生し忘れていたことを容易に認識できる。したがって、各コンテンツに対する嗜好性をより確実に認識できる。
【０１０７】
ＨＤＤ２２に、コンテンツデータが少なくとも１回は再生されているか否かを示す再生済みフラグ４２Ａを、サムネイル４２Ｃと関連付けて記憶させている。このため、サムネイル加工手段２５Ｃは、アルファ値を決定する前に、再生済みフラグ４２Ａを参照するだけの簡単な処理により、サムネイル４２Ｃに関連付けられたコンテンツデータが少なくとも１回は再生されているか否かを認識できる。したがって、サムネイル画像５０ｉの表示形態を変更する処理をより容易にかつ迅速にできる。
【０１０８】
ＨＤＤ２２に、アクセスタイム４２Ｂとサムネイル４２Ｃとなどが組み込まれたコンテンツ情報４０を記憶させている。このため、サムネイル加工手段２５Ｃは、アルファ値を決定する際に、サムネイル４２Ｃを検索することによりコンテンツ情報４０を特定し、この特定したコンテンツ情報４０からアクセスタイム４２Ｂを認識できる。したがって、アクセスタイム４２Ｂを、簡単なデータ構造でかつサムネイル４２Ｃを検索するだけの簡単な方法で、容易にかつ迅速に認識でき、アルファ値を決定する処理時間を短縮できる。
【０１０９】
記録再生装置１０に、計時手段２５Ｅを設けている。このような構成により、例えばコンテンツ情報生成手段２５Ｂにおけるアクセスタイム４２Ｂの更新処理に必要な、再生開始時刻Ｔpや再生終了時刻Ｔeなどを適宜迅速に取得できる。このため、例えばアクセスタイム４２Ｂの更新処理などの処理時間をより短縮できる。
【０１１０】
記録再生システム１００を、記録再生装置１０と、この記録再生装置１０に接続された出力装置３０とを備えた構成としている。出力装置３０は、記録再生装置１０のＧＦＸ１７により生成された仮想グラフィックスプレーンを取得し、この仮想グラフィックスプレーンを表示部３２に表示させる。これにより、表示部３２には、サムネイル画像５０ｉが表示される。このように、記録再生システム１００を、記録再生装置１０と、出力装置３０とを備えた構成とすることにより、記録再生装置１０にサムネイルを表示させるための表示部を設ける必要がない。このため、記録再生装置１０の構成を簡略化できる。また、記録再生装置１０の小型軽量化が容易に図れる。
【０１１１】
ＨＤＤ２２に、サムネイル４２Ｃを記憶させている。そして、サムネイル加工手段２５Ｃは、ＨＤＤ２２に記憶されたサムネイル４２Ｃを仮想グラフィックプレーンに展開し、この仮想グラフィックスプレーンのアルファ値を適宜決定することにより、サムネイル画像５０ｉの表示形態を変更させている。このように、予めサムネイル４２ＣをＨＤＤ２２に記憶させておくことにより、サムネイル加工手段２５Ｃにてサムネイル４２Ｃを取得する時間を短縮できる。このため、サムネイル画像５０ｉの表示形態を変更する処理時間を短縮できる。
【０１１２】
本発明のコンテンツデータを、複数の異なる画像データを有する一連のデータ列構造である映像データとしている。そして、記録制御手段２５Ａは、映像データが格納されたメインＴＳ４３をＨＤＤ２２に記憶させる際に、ＶＤｅｃ１４を制御して、このＶＤｅｃ１４に入力される映像データから画像データを取得させ画像記憶領域２３Ｇに記憶させる。この後、画像記憶領域２３Ｇに記憶させた画像データを、サムネイル４２ＣとしてＨＤＤ２２に記憶させる。このように、ＶＤｅｃ１４に入力される映像データからサムネイル４２Ｃを生成する構成としたので、コンテンツデータのサムネイルを表示させるための画像データを特別に準備する必要がない。このため、映像データを提供するだけでサムネイルを表示させることが可能な汎用性が高い記録再生システム１００を提供できる。
【０１１３】
サムネイル４２ＣやメインＴＳ４３などを、ＨＤＤ２２に記憶させている。このように、サムネイルやコンテンツデータをランダムアクセスが可能なＨＤＤ２２に記憶させることにより、前記各処理の時間を短縮できる。
【０１１４】
記録再生装置１０にリモコン受光部２０を設けている。そして、記録再生装置１０は、このリモコン受光部２０にて、図示しないリモコンの設定操作により生成された各情報を受信し、この受信した各情報に基づいて各処理を実施する。このような構成により、記録再生装置１０の遠隔操作が可能になるので、記録再生装置１０の設置場所に制限を設ける必要がない。このため、汎用性が高い記録再生システム１００を提供できる。
【０１１５】
［第２実施形態］
次に、本発明に係る第２実施形態を図面に基づいて説明する。図１３は、本実施形態におけるＨＰ（Homepage）表示システムの概略構成を示すブロック図であり、表示制御装置である端末装置と、情報蓄積装置であるサーバ装置から構成される。図１４は、サーバ装置の記憶手段の概略構成を示す模式図である。図１５は、サーバ装置の記憶手段に記憶されたＨＰ表示情報の概略構成を示す模式図である。図１６は、サーバ装置の処理部の概略構成を示すブロック図である。図１７は、端末装置のメモリに記憶された端末ＨＰ情報の概略構成を示す模式図である。図１８は、端末装置のＣＰＵの概略構成を示すブロック図である。なお、第１実施形態と略同一の機能を有する構成要件については、同一名称を付して説明を省略または簡略化する。
【０１１６】
〔ＨＰ表示システムの構成〕
図１３において、２００は、表示制御システムとしてのＨＰ表示システムである。このＨＰ表示システム２００は、端末装置にて、サーバ装置に記憶された例えば映画などのコンテンツを再生するためのデータとしてのコンテンツデータを、最後に再生してからの経過日数に基づいて、このコンテンツに関連付けられた代表静止画像としてのアイコンの表示形態を変更する。そして、この表示形態が変更されたアイコンを端末装置に表示させるシステムである。このＨＰ表示システム２００は、ネットワーク２１０と、サーバ装置２２０と、表示制御装置としての端末装置２３０と、を備えている。
【０１１７】
ネットワーク２１０には、サーバ装置２２０および端末装置２３０が接続されている。そして、ネットワーク２１０は、サーバ装置２２０および端末装置２３０を情報の送受信が可能な状態に接続する。例えば、ＴＣＰ／ＩＰなどの汎用のプロトコルに基づくインターネット、イントラネット、イーサネット（登録商標）などのＬＡＮ(Local Area Network)、無線媒体により情報が送受信可能な複数の基地局がネットワークを構成する通信回線網や放送網などのネットワーク、さらには、サーバ装置２２０および端末装置２３０間で情報を直接送受信するための媒体となる無線媒体自体などが例示できる。ここで、無線媒体としては、電波、光、音波、電磁波などのいずれの媒体をも適用できる。
【０１１８】
サーバ装置２２０は、ネットワーク２１０を介して入力される要求情報に基づいて、ＨＰを表示させるための各種データを端末装置２３０へ送信する。そして、サーバ装置２２０は、図１３に示すように、インターフェース２２１と、サーバ記憶手段としての記憶手段２２２と、処理部２２３と、などを備えている。
【０１１９】
インターフェース２２１は、ネットワーク２１０を介して端末装置２３０に接続されるとともに、処理部２２３に接続されている。そして、インターフェース２２１は、ネットワーク２１０を介して端末装置２３０から情報パケットＳbaを受信可能で、この情報パケットＳbaの取得により予め設定されている入力インターフェース処理を実施し、情報信号Ｓbbを処理部２２３へ出力する。また、インターフェース２２１は、処理部２２３からの情報信号Ｓbbが入力可能で、この入力される情報信号Ｓbbの取得により予め設定されている出力インターフェース処理を実施し、情報パケットＳbaとしてネットワーク２１０を介して端末装置２３０へ送信する。
【０１２０】
記憶手段２２２は、図１４に示すように、ＨＰ情報記憶領域２２２Ａと、コンテンツ記憶領域２２２Ｂと、アイコン記憶領域２２２Ｃと、を備えている。なお、ここでは記憶手段２２２が上述した３つの記憶領域を備えた構成について例示したが、これに限らず例えば記憶手段２２２に上述した記憶領域を備えない構成や、４つ以上の記憶領域を備えた構成などとしてもよい。なお、記憶手段２２２としては、ＨＤや光ディスクなどの記録媒体に読み出し可能に記憶するドライブやドライバなどを備えた構成としてもよい。
【０１２１】
ＨＰ情報記憶領域２２２Ａは、複数の図１５に示すようなＨＰ表示情報２４０を適宜読み出し可能に記憶する。このＨＰ表示情報２４０は、ＨＰを表示させるための情報である。そして、ＨＰ表示情報２４０は、ＨＰアドレス２４１と、登録アイコン付加情報２４２と、などが１つのデータとして構成されたテーブル構造である。
【０１２２】
ＨＰアドレス２４１は、ＨＰ表示情報２４０により表示されるＨＰのアドレスである。
【０１２３】
登録アイコン付加情報２４２は、複数のアイコン付加情報２４２Ｎe（Ｎeは自然数）が、１つのデータとして構成されたテーブル構造である。このアイコン付加情報２４２Ｎeは、ＨＰアドレス２４１により特定されるＨＰに表示されるアイコンに関連付けられた情報である。具体的には、アイコンのファイル名、表示サイズ、表示位置、アイコンに関連付けられたコンテンツデータのファイル名などの情報である。
【０１２４】
コンテンツ記憶領域２２２Ｂは、例えば映像データや音声データなどのコンテンツデータを、このコンテンツデータのファイル名とともに適宜読み出し可能に記憶する。
【０１２５】
アイコン記憶領域２２２Ｃは、コンテンツ記憶領域２２２Ｂに記憶されたコンテンツデータのアイコンを、このアイコンのファイル名とともに適宜読み出し可能に記憶する。
【０１２６】
処理部２２３は、記憶手段２２２に接続されている。そして、処理部２２３は、図１６に示すように、各種プログラムとして、送信制御手段２２３Ａなど構成する。
【０１２７】
送信制御手段２２３Ａは、端末装置２３０からの要求に基づいてＨＰ表示情報２４０、コンテンツデータ、アイコンなどを端末装置２３０へ送信する。なお、以下において、ＨＰ表示情報２４０、コンテンツデータ、アイコンのうちの少なくとも２つを同時に表現する際には、これらをＨＰデータと適宜称して説明する。
【０１２８】
端末装置２３０は、例えばパーソナルコンピュータ、テレビ、携帯電話、ＰＤＡなどが例示できる。この端末装置２３０は、ネットワーク２１０を介してサーバ装置２２０に記憶されたＨＰデータなどを取得する。そして、この取得したＨＰデータに基づいて、ＨＰを表示したりコンテンツデータを再生したりする。また、端末装置２３０は、コンテンツデータに関連付けられたアイコンに所定の処理を適宜施すことにより、アイコンの表示形態を適宜変更して表示する。この端末装置２３０は、送受信器２３１と、操作部２３２と、表示手段としての表示部２３３と、音声出力部２３４と、記憶手段としてのメモリ２３５と、ＣＰＵ２３６と、などを備えている。
【０１２９】
送受信器２３１は、ネットワーク２１０を介してサーバ装置２２０に接続されるとともに、ＣＰＵ２３６に接続されている。そして、送受信器２３１は、ネットワーク２１０を介してサーバ装置２２０から情報パケットＳtaを受信可能である。また、送受信器２３１は、ＣＰＵ２３６からの制御により予め設定されている出力インターフェース処理を実施し、情報パケットＳtaをネットワーク２１０を介してサーバ装置２２０へ送信する。
【０１３０】
操作部２３２は、例えばキーボードやマウスなどで、入力操作される図示しない各種操作ボタンなどを有している。この操作ボタンの入力操作としては、ＨＰを表示させたり、コンテンツデータを再生させる旨の実行命令、再生させたいコンテンツデータに関連付けられたアイコンの選択操作、コンテンツデータの再生、中止、早送り、スキップ操作などが例示できる。そして、操作部２３２は、設定事項の入力操作により、操作信号ＳinをＣＰＵ２３６へ適宜出力して設定させる。なお、この操作部２３２としては、操作ボタンなどの操作に限らず、例えば表示部２３３に設けられたタッチパネルによる入力操作や、音声による入力操作などにより、各種設定事項を設定入力する構成としてもできる。
【０１３１】
表示部２３３は、ＣＰＵ２３６にて制御され、サーバ装置２２０から送信されるＨＰデータ、映像データ、アイコン、仮想グラフィックスプレーンなどの映像信号Ｓdpを表示させる。なお、表示部２３３に表示させるデータとしては、前記各データの他、図示しないＴＶ受信機で受信したＴＶ映像データ、外部装置など光ディスクや磁気ディスクなどの記録媒体に記録されドライブにて読み取った映像データ、メモリからの映像データなどが例示できる。この表示部２３３は、具体的に、例えば液晶や有機ＥＬパネル、ＰＤＰ、ＣＲＴなどが用いられる。
【０１３２】
音声出力部２３４は、例えば図示しないスピーカなどの発音手段を有する。この音声出力部２３４は、ＣＰＵ２３６にて制御され、サーバ装置２２０から送信される音声データなどの音声信号Ｓadを発音手段から音声により出力する。なお、発音手段は、例えばＴＶ受信機で受信したＴＶ音声データや光ディスクや磁気ディスクなどに記録された音声データなどをも適宜出力可能である。
【０１３３】
メモリ２３５は、サーバ装置２２０から取得したＨＰデータ、図１７に示すような端末ＨＰ情報２５０、操作部２３２で入力操作される設定事項などを適宜読み出し可能に記憶する。また、メモリ２３５は、端末装置２３０全体を動作制御するＯＳ上に展開される各種プログラムなどを記憶している。なお、メモリ２３５としては、ＨＤや光磁気ディスクなどの記録媒体に読み取り可能に記憶するドライブやドライバなどを備えた構成としてもよい。
【０１３４】
端末ＨＰ情報２５０は、後述する表示制御手段２３６Ａにて生成され、端末装置２３０において過去に表示させたＨＰに関する情報である。この端末ＨＰ情報２５０は、ＨＰアドレス２５１、アイコン付加情報２５２、フラグ情報としての再生済みフラグ２５３、コンテンツ再生日付としてのアクセスタイム２５４などを１つのデータ情報としてのレコードとして組み込んだテーブル構造のデータベースとして構成される。また、この端末ＨＰ情報２５０の１つのレコードには、１つのアイコンに関連付けられた各種情報が組み込まれている。
【０１３５】
ＨＰアドレス２５１は、レコードに組み込まれた各種情報に関連付けられたＨＰのアドレスである。
【０１３６】
アイコン付加情報２５２は、ＨＰアドレス２５１により特定されるＨＰに表示させるアイコンに関連付けられた情報である。具体的には、アイコン付加情報２５２は、画像固有情報としてのアイコンのファイル名、表示サイズ、表示位置、アイコンに関連付けられたデータ固有情報としてのコンテンツデータのファイル名などの情報である。
【０１３７】
再生済みフラグ２５３は、第１実施形態の再生済みフラグ４２Ａと略等しいフラグ情報である。
【０１３８】
アクセスタイム２５４は、コンテンツデータが最後に再生された際の終了日付に関する情報である。
【０１３９】
ＣＰＵ２３６は、図示しない各種入出力ポート、例えば送受信器２３１が接続される通信ポート、操作部２３２が接続されるキー入力ポート、表示部２３３が接続される表示部制御ポート、音声出力部２３４が接続される音声制御ポート、メモリ２３５が接続される記憶ポート、などを有する。そして、ＣＰＵ２３６は、各種プログラムとして、図１８に示すように、表示制御手段２３６Ａと、表示形態変更手段としてのアイコン加工手段２３６Ｂと、日付情報及び時間情報を取得するための再生日時記憶手段である日時取得手段としてのアクセスタイム更新手段２３６Ｃと、計時手段としての端末計時手段２３６Ｄと、カウンタ２３６Ｅと、などを構成する。
【０１４０】
表示制御手段２３６Ａは、サーバ装置２２０に記憶されたＨＰデータなどを取得する。そして、表示部２３３にＨＰを表示させたり、表示部２３３や音声出力部２３４にコンテンツデータを再生させる。
【０１４１】
アイコン加工手段２３６Ｂは、コンテンツデータが少なくとも１回は再生されているか否かを判断する。そして、コンテンツデータが１回も再生されていないと判断した場合には、コンテンツデータが１回も再生されていないことを示す表示形態のアイコンを表示部２３３に表示させるための仮想グラフィックスプレーンを生成する。一方で、コンテンツデータが少なくとも１回は再生されていると判断した場合には、コンテンツデータが最後に再生されてからの経過日数を認識する。そして、この経過日数に基づいた表示形態のアイコンを表示部２３３に表示させるための仮想グラフィックスプレーンを生成する。なお、アイコン加工手段２３６Ｂにて、仮想グラフィックスプレーンを生成する処理の詳細については後述する。
【０１４２】
アクセスタイム更新手段２３６Ｃは、端末ＨＰ情報２５０の再生済みフラグ２５３およびアクセスタイム２５４を適宜更新する。なお、再生済みフラグ２５３およびアクセスタイム２５４を更新する処理の詳細については後述する。
【０１４３】
端末計時手段２３６Ｄは、例えば内部クロックなどの基準パルスに基づいて現在時刻を認識する。そして、認識した現在時刻に関する時刻情報を適宜出力する。
【０１４４】
カウンタ２３６Ｅは、アイコン加工手段２３６Ｂにて生成された仮想グラフィックスプレーンの数を計数する。
【０１４５】
〔ＨＰ表示システムの動作〕
次に、ＨＰ表示システム２００の動作について図面に基づいて説明する。なお、ここでは表示部２３３に表示させるＨＰに関連付けられた端末ＨＰ情報２５０が、端末装置２３０のメモリ２３５に記憶されている場合の動作について説明する。図１９は、アイコンの加工処理を示すフローチャートである。図２０は、アクセスタイムの更新処理を示すフローチャートである。
【０１４６】
（アイコンの加工処理）
最初に、アイコンの加工処理について、図１９に基づいて説明する。まず、利用者は、例えば操作部２３２の入力操作により所望のＨＰを表示部２３３に表示させる旨を設定入力する。
【０１４７】
端末装置２３０は、ＣＰＵ２３６の表示制御手段２３６Ａにて、ＨＰを表示部２３３に表示させる旨の設定入力を認識すると、データ送信要求情報を生成する。そして、このデータ送信要求情報をネットワーク２１０を介してサーバ装置２２０へ送信する。
【０１４８】
サーバ装置２２０は、端末装置２３０からデータ送信要求情報を受信すると、送信制御手段２２３Ａにて、このデータ送信要求情報に基づいて、ＨＰアドレスと、ＨＰデータの送信を要求する旨の情報とを認識する。そして、送信制御手段２２３Ａは、前記ＨＰデータを記憶手段２２２から検索して取得し、ネットワーク２１０を介して端末装置２３０へ送信する。
【０１４９】
端末装置２３０は、表示制御手段２３６Ａにて、サーバ装置２２０からＨＰデータを受信すると、この受信したＨＰデータをメモリ２３５に適宜読み出し可能に記憶させる。そして、メモリ２３５からＨＰ表示情報２４０を読み出し、この読み出したＨＰ表示情報２４０に基づいてＨＰを表示部２３３に表示させる。この後、端末装置２３０は、アイコン加工手段２３６Ｂにて、図１９に示すようなアイコンの加工処理を開始する。
【０１５０】
アイコン加工手段２３６Ｂは、例えば表示部２３３にＨＰが表示されたことを認識すると、アイコンの表示を開始する旨を認識する（ステップＳ８０１）。そして、端末計時手段２３６Ｄから現在時刻を取得して、この現在時刻を表示要求日時としての操作日時Tとしてメモリ２３５に適宜読み出し可能に記憶させる（ステップＳ８０２）。
【０１５１】
この後、アイコン加工手段２３６Ｂは、表示部２３３に表示させているＨＰのＨＰ表示情報２４０に組み込まれたＨＰアドレス２４１と同一のＨＰアドレス２５１が組み込まれたレコードを、メモリ２３５に記憶された端末ＨＰ情報２５０から検索して読み出す。そして、この読み出したレコードの数をＨＰに表示させるアイコンの表示数ｎとして認識する（ステップＳ８０３）。この後、カウンタ２３６Ｅのカウンタ値ｉを１に設定する（ステップＳ８０４）。
【０１５２】
次に、アイコン加工手段２３６Ｂは、カウンタ値ｉから１を引いた値、すなわち（ｉ−１）がアイコンの表示数ｎに達しているか否かを判断する（ステップＳ８０５）。そして、表示数ｎに達していると判断した場合には、アイコンの加工処理を終了する。一方で、ステップＳ８０５において、表示数ｎに達していないと判断した場合には、読み出したレコードのアイコン付加情報２５２を参照してｉ番目に表示するアイコンのファイル名を検索する。このファイル名を検索する方法としては、例えばメモリ２３５にレコードが記憶された順番に基づいて検索する方法などが例示できる。そして、アイコン加工手段２３６Ｂは、この検索したファイル名のアイコンをメモリ２３５から読み出す。この後、この読み出したアイコンをｉ番目の仮想グラフィックスプレーンに展開する（ステップＳ８０６）。
【０１５３】
次に、アイコン加工手段２３６Ｂは、ステップＳ８０６において検索したファイル名が記載されたレコードの再生済みフラグ２５３を参照する。そして、再生済みフラグ２５３が「０」、すなわちコンテンツデータが１回も再生されていないことを認識した場合には、例えば以下の処理を実施する。アイコン加工手段２３６Ｂは、（ｉ＋１）番目の仮想グラフィックスプレーンのアルファ値以外すなわち透明度以外の設定を変更する。この設定の変更としては、例えば色調をモノトーン調やセピア調などへ変更する構成などが例示できるがこれに限られない。
【０１５４】
一方で、アイコン加工手段２３６Ｂは、再生済みフラグ２５３を参照して、再生済みフラグ２５３が「１」、すなわちコンテンツデータが少なくとも１回は再生されていることを認識した場合には、このレコードのアクセスタイム２５４を認識する（ステップＳ８０７）。この後、メモリ２３５に記憶させた操作日時Tを読み出し、この操作日時Tとアクセスタイム２５４との時間差分、すなわちコンテンツデータが最後に再生されてからの経過日数を求める。そして、例えば図９のグラフに基づいて、求めた経過日数から仮想グラフィックスプレーンのアルファ値を決定する（ステップＳ８０８）。
【０１５５】
この後、アイコン加工手段２３６Ｂは、仮想グラフィックスプレーンのアルファ値をステップＳ８０８において決定したアルファ値に設定する（ステップＳ８０９）。そして、端末装置２３０は、表示制御手段２３６Ａにて、ステップＳ８０６において参照したレコードのアイコン付加情報２５２に基づいて、仮想グラフィックスプレーンをＨＰの所定位置に配置して表示させる。これにより、表示部２３３の任意の表示領域には、例えば図１１に示されるように、経過日数に対応して表示形態が異なる画像６０ｉが表示される。なお、以下において、仮想グラフィックスプレーンにより表示部２３３に表示される画像６０ｉを、アイコン画像６０ｉと適宜称して説明する。また、このとき１回も再生されていないコンテンツデータのアイコン画像６０ｉは、ここでは図示しないが、例えばモノトーン調など、経過日数により変更する表示形態とは異なる表示形態で表示され、経過日数に対応してその表示形態は変更されない。
【０１５６】
この後、アイコン加工手段２３６Ｂは、カウンタ２３６Ｅのカウンタ値ｉを１だけ増やした（ステップＳ８１０）後に、ステップＳ８０５の処理を実施する。そして、アイコン加工手段２３６Ｂは、表示部２３３にｎ個のアイコン画像６０ｉを表示させた後にアイコンの加工処理を終了する。
【０１５７】
（アクセスタイムの更新処理）
次に、アクセスタイムの更新処理について、図２０に基づいて説明する。まず、利用者は、ＨＰ表示システム２００に上述したアイコンの加工処理を実施させることにより、端末装置２３０の表示部２３３にアイコン画像６０ｉを表示させる。そして、例えば操作部２３２の入力操作にて、表示部２３３に表示され所望のコンテンツデータに関連付けられたアイコン画像６０ｉを選択することにより、コンテンツデータの再生を開始する旨を設定入力する。
【０１５８】
端末装置２３０は、表示制御手段２３６Ａにて、コンテンツデータの再生を開始する旨の設定入力を認識する（ステップＳ９０１）と、このコンテンツデータをメモリ２３５から検索して読み出す。そして、この読み出したコンテンツデータを表示部２３３や音声出力部２３４へ出力して再生を開始する。この後、端末装置２３０は、アクセスタイム更新手段２３６Ｃにて、端末計時手段２３６Ｄから現在時刻を取得して、この現在時刻を再生開始時刻Ｔpとしてメモリ２３５に適宜読み出し可能に記憶させる（ステップＳ９０２）。
【０１５９】
そして、端末装置２３０は、アクセスタイム更新手段２３６Ｃにて、コンテンツの再生を中止する旨を要求する再生中止要求情報を受信したか否かを判断する（ステップＳ９０３）。この再生中止要求情報は、例えば利用者による操作部２３２の入力操作にて設定入力される。
【０１６０】
アクセスタイム更新手段２３６Ｃは、ステップＳ９０３において、再生中止要求情報を受信していないと判断した場合には、再びステップＳ９０３の処理を実施する。
【０１６１】
一方で、端末装置２３０は、ステップＳ９０３において、アクセスタイム更新手段２３６Ｃにて、再生中止要求情報を受信していると判断した場合には、表示制御手段２３６Ａにて、コンテンツデータの再生を中止する。そして、アクセスタイム更新手段２３６Ｃにて、端末計時手段２３６Ｄから現在時刻を取得して、この現在時刻を再生終了時刻Ｔeとしてメモリ２３５に適宜読み出し可能に記憶させる（ステップＳ９０４）。この後、再生開始時刻Ｔpおよび再生終了時刻Ｔeをメモリ２３５から読み出して、これらの時間差分、すなわちコンテンツデータのデータ処理期間としての再生時間が予め定められた所定時間の例えば１分よりも長いか否かを判断する（ステップＳ９０５）。なお、ここでは所定時間を１分とした構成について例示したが、これに限らず例えば３０秒や３分などとしてもよい。
【０１６２】
アクセスタイム更新手段２３６Ｃは、ステップＳ９０５において、再生時間が１分よりも短いと判断した場合には、アクセスタイムの更新処理を終了する。
【０１６３】
一方で、ステップＳ９０５において、再生時間が１分よりも長いと判断した場合には、例えば以下の処理を実施する。まず、アクセスタイム更新手段２３６Ｃは、メモリ２３５に記憶された端末ＨＰ情報２５０から、再生されていたコンテンツデータに関連付けられたアイコン付加情報２５２が組み込まれたレコードを検索して読み出す。次に、この読み出したレコードの再生済みフラグ２５３を読み出す。そして、再生済みフラグ２５３が「０」の場合には、コンテンツが少なくとも１回は再生されたことを示すフラグ情報「１」を生成する。この後、読み出したレコードの再生済みフラグ２５３を生成したフラグ情報「１」に変更する。そして、アクセスタイム２５４に再生終了日時を記載する。一方で、読み出したレコードの再生済みフラグ２５３が「１」の場合には、アクセスタイム２５４を再生終了日時に変更する（ステップＳ９０６）。そして、このレコードをメモリ２３５に記憶された端末ＨＰ情報２５０に組み込みアクセスタイムの更新処理を終了する。
【０１６４】
〔第２実施形態の作用効果〕
上述したような第２実施形態では、ＨＰ表示システム２００の端末装置２３０は、アクセスタイム更新手段２３６Ｃにてコンテンツデータの再生中止が要求された旨を認識すると再生終了時刻Ｔeをコンテンツデータのアクセスタイム２５４として取得する。この後、端末装置２３０は、アイコン加工手段２３６Ｂにて、コンテンツデータのアイコンを表示部２３３に表示させる旨の要求を認識すると、このコンテンツデータのアクセスタイム２５４を認識する。次に、アイコン加工手段２３６Ｂは、アクセスタイム２５４からの経過日数に基づいて、アイコンが展開された仮想グラフィックスプレーンのアルファ値を決定する。そして、アルファ値が前記決定された値に設定された仮想グラフィックスプレーンを生成する。この後、この仮想グラフィックスプレーンを表示部２３３へ出力することにより、表示部２３３にアイコンをアクセスタイム２５４に対応した表示形態で表示する。
【０１６５】
このように、端末装置２３０は、仮想グラフィックスプレーンのアルファ値をアクセスタイム２５４からの経過日数に基づいて設定することにより、表示部２３３には例えば図１１に示すように、コンテンツデータが最後に再生されてからの経過日数によって表示形態が異なるアイコン画像６０ｉを表示する。このため、利用者は、アイコン画像６０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【０１６６】
アイコン加工手段２３６Ｂは、アイコンを表示させる旨の要求を認識すると操作日時Ｔを取得する。そして、操作日時Ｔとアクセスタイム２５４との時間差分を経過日数と認識し、この経過日数に基づいてアルファ値を決定する。このように、アイコンを表示させる旨の要求を認識した際の操作日時Ｔを基準にした経過日数に基づいてアルファ値を決定することにより、アイコン画像６０ｉの表示形態からコンテンツデータが最後に再生されてからの経過日数をより容易に認識できる。このため、各コンテンツに対する嗜好性をより容易に認識できる。
【０１６７】
端末装置２３０は、表示制御手段２３６Ａにてコンテンツデータの再生を開始する旨の設定入力を認識すると、アクセスタイム更新手段２３６Ｃにて再生開始時刻Ｔpを取得する。また、端末装置２３０は、アクセスタイム更新手段２３６Ｃにてコンテンツデータの再生中止が要求された旨を認識すると、再生終了時刻Ｔeを取得する。この後、アクセスタイム更新手段２３６Ｃは、再生開始時刻Ｔpおよび再生終了時刻Ｔeから求められるコンテンツデータの再生時間が所定時間以上であるか否かを判断する。そして、再生時間が所定時間以上であると判断し場合には、再生終了日付をアクセスタイム２５４としてメモリ２３５に記憶させることによりアクセスタイム２５４を更新する。一方で、再生時間が所定時間以上でないと判断した場合には、アクセスタイム２５４を更新しない。このような構成により、利用者が、例えば操作を誤って再生させるつもりがないコンテンツデータを再生させた場合でも、その再生時間が所定以下であればアクセスタイム２５４が更新されることがない。このため、アクセスタイム２５４は、利用者が再生させたいコンテンツデータが再生された場合のみに更新される。したがって、このアクセスタイム２５４からの経過日数に基づいて表示形態が変更されたアイコン画像６０ｉにより、各コンテンツに対する嗜好性をより確実に認識できる。
【０１６８】
アイコン加工手段２３６Ｂは、アクセスタイム２５４からの経過日数に基づいて仮想グラフィックスプレーンのアルファ値すなわち透明度を変更する。このように、仮想グラフィックスプレーンの透明度を変更することにより、アイコン画像６０ｉの視覚的な認識のし易さを変更できる。このため、各コンテンツに対する嗜好性をより容易にかつ確実に認識できる。また、仮想グラフィックスプレーンのアルファ値を変更するだけの簡単な構成で、アイコン画像６０ｉの表示形態を変更できる。したがって、アイコン画像６０ｉの表示形態を変更する処理をより容易にかつ迅速にできる。
【０１６９】
アイコン加工手段２３６Ｂは、アイコンを仮想グラフィックスプレーンに展開した後に、コンテンツデータが少なくとも１回は再生されているか否かを判断する。この後、コンテンツデータが少なくとも１回は再生されていると判断した場合には、アクセスタイム２５４からの経過日数に基づいて、仮想グラフィックスプレーンのアルファ値を決定する。一方で、コンテンツデータが１回も再生されていないと判断した場合には、仮想グラフィックスプレーンのアルファ値以外の設定を変更、例えば色調をモノトーン調へ変更する。このような構成により、少なくとも１回は再生されたコンテンツデータのアイコンは、再生されてからの経過日数に基づき透明度が変更されたアイコン画像６０ｉとして表示される。一方で、１回も再生されていないコンテンツデータのアイコンは、例えばモノトーン調のアイコン画像６０ｉとして表示される。このため、アイコン画像６０ｉの表示形態から１回も再生されていないコンテンツデータを容易に認識できる。また、例えば嗜好性が高いコンテンツデータを１回も再生せずに長時間が経過したとしても、アイコン画像６０ｉはモノトーン調で表示されるので、再生し忘れていたことを容易に認識できる。したがって、各コンテンツに対する嗜好性をより確実に認識できる。
【０１７０】
メモリ２３５に、コンテンツデータが少なくとも１回は再生されているか否かを示す再生済みフラグ２５３を記憶させている。このため、アイコン加工手段２３６Ｂは、アルファ値を決定する前に、再生済みフラグ２５３を参照するだけの簡単な処理により、コンテンツデータが少なくとも１回は再生されているか否かを認識できる。したがって、アイコン画像６０ｉの表示形態を変更する処理をより容易にかつ迅速に実施できる。
【０１７１】
メモリ２３５に、アイコンのファイル名が記載されたアイコン付加情報２５２とコンテンツのアクセスタイム２５４となどが１つのレコードとして組み込まれた端末ＨＰ情報２５０を記憶させている。このため、アイコン加工手段２３６Ｂは、アルファ値を決定する際に、アイコンのファイル名を検索することによりレコードを特定し、この特定したレコードからアクセスタイム２５４を認識できる。したがって、アクセスタイム２５４を、簡単なデータ構造でかつアイコンのファイル名を検索するだけの簡単な方法で、容易にかつ迅速に認識でき、アルファ値を決定する処理時間を短縮できる。
【０１７２】
端末装置２３０に、端末計時手段２３６Ｄを設けている。このような構成により、例えばアクセスタイム更新手段２３６Ｃにおけるアクセスタイム２５４の更新処理に必要な、再生開始時刻Ｔpや再生終了時刻Ｔeなどを適宜迅速に取得できる。このため、例えばアクセスタイム２５４の更新処理などの処理時間を短縮できる。
【０１７３】
ＨＰ表示システム２００を、サーバ装置２２０と、このサーバ装置２２０にネットワーク２１０を介して接続された端末装置２３０とを備えた構成としている。サーバ装置２２０に、コンテンツデータを記憶する記憶手段２２２と、この記憶手段２２２に記憶されたコンテンツデータを端末装置２３０へ適宜送信する送信制御手段２２３Ａとを設けている。また、端末装置２３０に、コンテンツデータをサーバ装置２２０から適宜取得して、このコンテンツデータを表示部２３３に再生させる表示制御手段２３６Ａを設けている。このように、コンテンツデータをサーバ装置２２０から適宜取得させる構成とすることにより、メモリ２３５にコンテンツデータを常時記憶させる必要がなくなる。このため、メモリ２３５の容量を小さくできる。また、サーバ装置２２０の記憶手段２２２にコンテンツデータを記憶させたので、複数の端末装置２３０に同一のコンテンツデータを適宜送信できる。このため、コンテンツデータの共有化が可能な汎用性が高いＨＰ表示システム２００を提供できる。
【０１７４】
サーバ装置２２０に、アイコンを記憶する記憶手段２２２と、この記憶手段２２２に記憶されたアイコンを端末装置２３０へ適宜送信する送信制御手段２２３Ａとを設けている。また、端末装置２３０に、サーバ装置２２０からアイコンを取得する表示制御手段２３６Ａと、この表示制御手段２３６Ａにて取得したアイコンの表示形態を変更させるアイコン加工手段２３６Ｂとを設けている。このように、このように、アイコンをサーバ装置２２０から適宜取得する構成とすることにより、メモリ２３５にアイコンを常時記憶させる必要がなくなる。このため、メモリ２３５の容量を小さくできる。また、サーバ装置２２０の記憶手段２２２にアイコンを記憶させたので、複数の端末装置２３０に同一のアイコンを適宜送信できる。このため、アイコンの共有化が可能な汎用性が高いＨＰ表示システム２００を提供できる。
【０１７５】
端末装置２３０に、アイコン加工手段２３６Ｂやアクセスタイム更新手段２３６Ｃなどを設け、アイコンの加工処理やアクセスタイムの更新処理などを端末装置２３０において実施する構成としている。このため、サーバ装置２２０の構成を簡略化できる。また、サーバ装置２２０の処理負荷などを低減でき、ＨＰデータの送受信をより迅速にできるＨＰ表示システム２００を提供できる。
【０１７６】
［第３実施形態］
次に、本発明に係る第３実施形態を図面に基づいて説明する。図２１は、本実施形態における情報蓄積装置であるサーバ装置の記憶手段に記憶されたＨＰ表示情報の概略構成を示す模式図である。図２２は、サーバ装置の処理部の概略構成を示すブロック図である。図２３は、表示制御装置である端末装置のＣＰＵの概略構成を示すブロック図である。なお、第２実施形態と同一の構成要件については、同一符号を付して説明を省略する。また、第２実施形態と略同一の機能を有する構成要件については、同一名称を付して説明を省略または簡略化する。
【０１７７】
〔ＨＰ表示システムの構成〕
図１３において、３００は、表示制御システムとしてのＨＰ表示システムである。このＨＰ表示システム３００は、サーバ装置にて、このサーバ装置に記憶されたデータとしてのコンテンツデータを最後に再生してからの経過日数に基づいて、このコンテンツデータに関連付けられた代表静止画像としてのアイコンの表示形態を変更する。そして、この表示形態が変更されたアイコンを端末装置に送信して、端末装置に表示させるシステムである。このＨＰ表示システム３００は、ネットワーク２１０と、表示制御装置としてのサーバ装置３２０と、端末装置３３０と、を備えている。
【０１７８】
サーバ装置３２０は、ネットワーク２１０を介して入力される要求情報に基づいて、ＨＰを表示させるためのＨＰデータを端末装置３３０へ送信する。そして、サーバ装置３２０は、インターフェース２２１と、制御装置記憶手段としての記憶手段２２２と、処理部３２３と、などを備えている。
【０１７９】
インターフェース２２１は、ネットワーク２１０を介して端末装置３３０に接続されるとともに、処理部３２３に接続されている。
【０１８０】
記憶手段２２２は、ＨＰ情報記憶領域２２２Ａと、コンテンツ記憶領域２２２Ｂと、アイコン記憶領域２２２Ｃと、図示しないプログラム使用領域と、を備えている。
【０１８１】
記憶手段２２２のＨＰ情報記憶領域２２２Ａは、複数の図２１に示すようなデータ情報としてのＨＰ表示情報３４０を適宜読み出し可能に記憶する。このＨＰ表示情報３４０は、ＨＰを表示させるための情報である。そして、ＨＰ表示情報３４０は、ＨＰアドレス３４１と、登録アイコン情報３４２と、などが１つのデータとして構成されたテーブル構造である。
【０１８２】
登録アイコン情報３４２は、複数のアイコン情報３４２Ｎd（Ｎdは自然数）が、１つのデータとして構成されたテーブル構造である。このアイコン情報３４２Ｎdは、ＨＰアドレス３４１により特定されるＨＰに表示されるアイコンに関連付けられた情報である。さらに、アイコン情報３４２Ｎdは、アイコン付加情報３４３、フラグ情報としての再生済みフラグ３４４、コンテンツデータ再生日時としてのアクセスタイム３４５などが１つのデータとして構成されたテーブル構造である。
【０１８３】
アイコン付加情報３４３は、アイコン情報３４２Ｎdにより特定されるアイコンに関連付けられた情報である。具体的には、アイコン付加情報３４３は、画像固有情報としてのアイコンのファイル名、表示サイズ、表示位置、アイコンに関連付けられたデータ固有情報としてのコンテンツデータのファイル名などの情報である。
【０１８４】
再生済みフラグ３４４は、第２実施形態の再生済みフラグ２５３と略等しいフラグ情報である。
【０１８５】
アクセスタイム３４５は、第２実施形態のアクセスタイム２５４と略等しい情報である。
【０１８６】
プログラム使用領域は、アイコンの加工処理やアクセスタイムの更新処理などに必要な各種データを適宜読み出し可能に記憶する。
【０１８７】
処理部３２３は、図２２に示すように、各種プログラムとして、表示形態変更手段としてのアイコン加工手段３２３Ａと、再生日時記憶手段である日時取得手段としてのアクセスタイム更新手段３２３Ｂと、表示形態変更手段としても機能する送信制御手段３２３Ｃと、計時手段としてのサーバ計時手段３２３Ｄと、カウンタ３２３Ｅと、など構成する。
【０１８８】
アイコン加工手段３２３Ａは、コンテンツデータが端末装置３３０にて少なくとも１回は再生されているか否かを判断する。そして、コンテンツデータが１回も再生されていないと判断した場合には、コンテンツデータが１回も再生されていないことを示す表示形態のアイコンを表示部２３３に表示させるための仮想グラフィックスプレーンを生成する。一方で、コンテンツデータが少なくとも１回は再生されていると判断した場合には、コンテンツデータが最後に再生されてからの経過日数を認識する。そして、この経過日数に基づいた表示形態のアイコンを端末装置３３０の表示部２３３に表示させるための仮想グラフィックスプレーンを生成する。なお、アイコン加工手段３２３Ａにて、仮想グラフィックスプレーンを生成する処理の詳細については後述する。
【０１８９】
アクセスタイム更新手段３２３Ｂは、ＨＰ表示情報３４０の再生済みフラグ３４４およびアクセスタイム３４５を適宜更新する。なお、再生済みフラグ３４４およびアクセスタイム３４５を更新する処理の詳細については後述する。
【０１９０】
送信制御手段３２３Ｃは、端末装置３３０からの要求に基づいてＨＰ表示情報３４０、コンテンツデータ、仮想グラフィックスプレーンなどのＨＰデータを端末装置３３０へ送信する。具体的には、インターフェース２２１から入力される情報信号Ｓbbに基づいて、この情報信号Ｓbbに記載された要求情報としても機能するデータ送信要求情報を認識する。そして、このデータ送信要求情報に基づいて、ＨＰアドレスと、ＨＰデータの送信を要求する旨の情報とを認識する。この後、この認識したＨＰアドレスと同一のＨＰアドレス３４１が組み込まれたＨＰ表示情報３４０、このＨＰ表示情報３４０に関連付けられたコンテンツデータ、アイコン加工手段３２３Ａにて生成された仮想グラフィックスプレーンを取得する。そして、これら取得したＨＰデータを情報信号Ｓbbに適宜変換してインターフェース２２１へ出力する。
【０１９１】
サーバ計時手段３２３Ｄは、例えば内部クロックなどの基準パルスに基づいて現在時刻を認識する。そして、認識した現在時刻に関する時刻情報を適宜出力する。
【０１９２】
カウンタ３２３Ｅは、アイコン加工手段３２３Ａにて生成された仮想グラフィックスプレーンの数を計数する。
【０１９３】
端末装置３３０は、ネットワーク２１０を介してサーバ装置３２０に記憶されたＨＰデータなどを取得する。そして、この取得したＨＰデータに基づいて、ＨＰやアイコンを表示したりコンテンツデータを再生したりする。この端末装置３３０は、送受信器２３１と、操作部２３２と、表示手段としての表示部２３３と、音声出力部２３４と、メモリ３３５と、ＣＰＵ３３６と、などを備えている。
【０１９４】
メモリ３３５は、サーバ装置３２０から取得したＨＰデータ、操作部２３２で入力操作される設定事項などを適宜読み出し可能に記憶する。また、メモリ３３５は、端末装置３３０全体を動作制御するＯＳ上に展開される各種プログラムなどを記憶している。
【０１９５】
ＣＰＵ３３６は、各種プログラムとして、図２３に示すように、通知情報生成手段としても機能する画像表示制御手段としての表示制御手段３３６Ａなどを構成する。
【０１９６】
表示制御手段３３６Ａは、サーバ装置３２０に記憶されたＨＰデータなどを取得する。そして、表示部２３３にＨＰを表示させたり、表示部２３３や音声出力部２３４にコンテンツデータを再生させる。具体的には、例えば操作部２３２から入力される操作信号Ｓinに基づいて、この操作信号Ｓinに記載された表示部２３３にＨＰを表示させる旨を要求する情報を認識する。そして、データ送信要求情報を生成し、このデータ送信要求情報を情報信号Ｓttに変換して送受信器２３１へ出力する。そして、送受信器２３１から入力される情報信号Ｓttに基づいて、この情報信号Ｓttに記載されたＨＰデータなどを取得する。この後、この取得したＨＰデータをメモリ信号Ｓmeに適宜変換して、メモリ３３５に適宜読み出し可能に記憶させる。そして、メモリ３３５に記憶させたＨＰ表示情報３４０および仮想グラフィックスプレーンをメモリ信号Ｓmeとして適宜読み出し、これらＨＰ表示情報３４０および仮想グラフィックスプレーンを処理信号Ｓdpに適宜変換して表示部２３３へ出力する。
【０１９７】
この後、表示制御手段３３６Ａは、操作部２３２から適宜入力される操作信号Ｓinに基づいて、この操作信号Ｓinに記載されたコンテンツデータを再生する旨を認識した場合には、例えば以下の処理を実施する。まず、メモリ３３５に記憶されたＨＰ表示情報３４０から、コンテンツデータに関連付けられたアイコン情報３４２Ｎdを検索する。次に、この検索したアイコン情報３４２Ｎdのアイコン付加情報３４３を参照してコンテンツデータのファイル名を認識する。そして、この認識したファイル名のコンテンツデータをメモリ３３５から検索してメモリ信号Ｓmeとして読み出す。この後、このコンテンツデータを映像信号Ｓdpや音声信号Ｓadに適宜変換して、表示部２３３や音声出力部２３４へ出力する。そして、コンテンツデータの再生が開始された旨を通知する再生開始通知情報を生成する。この後、この生成した再生開始通知情報を情報信号Ｓttに適宜変換して送受信器２３１へ出力する。
【０１９８】
また、表示制御手段３３６Ａは、操作部２３２から適宜入力される操作信号Ｓinに基づいて、この操作信号Ｓinに記載されたコンテンツデータの再生を中止する旨を認識した場合には、例えば以下の処理を実施する。まず、コンテンツデータが記載された映像信号Ｓdpや音声信号Ｓadの表示部２３３や音声出力部２３４への出力を中止する。そして、再生が中止されたコンテンツデータを認識し、この認識したコンテンツデータに関連付けられたアイコン情報３４２Ｎdをメモリ３３５から検索して読み出す。この後、この読み出したアイコン情報３４２Ｎdとともに、コンテンツデータの再生が中止された旨を通知する処理通知情報としての再生中止通知情報を生成する。そして、この再生中止通知情報を情報信号Ｓttに適宜変換して送受信器２３１へ出力する。
【０１９９】
〔ＨＰ表示システムの動作〕
次に、ＨＰ表示システム３００の動作について図１９および図２０に基づいて説明する。
【０２００】
（アイコンの加工処理）
最初に、アイコンの加工処理について、図１９に基づいて説明する。まず、利用者は、例えば操作部２３２の入力操作により所望のＨＰを表示部２３３に表示させる旨を設定入力する。
【０２０１】
端末装置３３０は、ＣＰＵ３３６の表示制御手段３３６Ａにて、ＨＰを表示部２３３に表示させる旨の設定入力を認識すると、データ送信要求情報を生成する。そして、このデータ送信要求情報をネットワーク２１０を介してサーバ装置３２０へ送信する。
【０２０２】
サーバ装置３２０は、端末装置３３０からデータ送信要求情報を受信すると、送信制御手段３２３Ｃにて、このデータ送信要求情報に基づいて、ＨＰアドレスと、ＨＰデータの送信を要求する旨の情報とを認識する。また、サーバ装置３２０は、アイコン加工手段３２３Ａにて、端末装置３３０がアイコンの表示を開始する旨を認識する（ステップＳ８０１）。次に、サーバ装置３２０は、アイコン加工手段３２３Ａにて、サーバ計時手段３２３Ｄから現在時刻を取得して、この現在時刻を操作日時Tとして記憶手段２２２のプログラム使用領域に適宜読み出し可能に記憶させる（ステップＳ８０２）。
【０２０３】
この後、アイコン加工手段３２３Ａは、前記認識したＨＰアドレスと同一のＨＰアドレス３４１が組み込まれたＨＰ表示情報３４０をＨＰ情報記憶領域２２２Ａから検索して読み出す。そして、この読み出したＨＰ表示情報３４０をプログラム使用領域に適宜読み出し可能に記憶させる。この後、プログラム使用領域に記憶させたＨＰ表示情報３４０に組み込まれたアイコン情報３４２Ｎdの数をＨＰに表示させるアイコンの表示数ｎとして認識する（ステップＳ８０３）。この後、カウンタ３２３Ｅのカウンタ値ｉを１に設定する（ステップＳ８０４）。
【０２０４】
次に、アイコン加工手段３２３Ａは、カウンタ値ｉから１を引いた値、すなわち（ｉ−１）がアイコンの表示数ｎに達しているか否かを判断する（ステップＳ８０５）。そして、表示数ｎに達していると判断した場合には、アイコンの加工処理を終了する。一方で、ステップＳ８０５において、表示数ｎに達していないと判断した場合には、プログラム使用領域に記憶されたＨＰ表示情報３４０のアイコン情報３４２Ｎdに組み込まれたアイコン付加情報３４３を参照して、ｉ番目に表示するアイコンのファイル名を検索する。このファイル名を検索する方法としては、例えば記憶手段２２２にアイコン情報３４２Ｎdが記憶された順番に基づいて検索する方法などが例示できる。そして、アイコン加工手段３２３Ａは、この検索したファイル名のアイコンをアイコン記憶領域２２２Ｃから読み出す。この後、この読み出したアイコンをｉ番目の仮想グラフィックスプレーンに展開する（ステップＳ８０６）。
【０２０５】
次に、アイコン加工手段３２３Ａは、ステップＳ８０６において検索したアイコンのファイル名が記載されたアイコン情報３４２Ｎdの再生済みフラグ３４４を参照する。そして、再生済みフラグ３４４が「０」、すなわちコンテンツデータが１回も再生されていないことを認識した場合には、例えば以下の処理を実施する。アイコン加工手段３２３Ａは、（ｉ＋１）番目の仮想グラフィックスプレーンのアルファ値以外すなわち透明度以外の設定を変更する。この設定の変更としては、例えば色調をモノトーン調やセピア調などへ変更する構成などが例示できるがこれに限られない。
【０２０６】
一方で、アイコン加工手段３２３Ａは、再生済みフラグ３４４を参照して、再生済みフラグ３４４が「１」、すなわちコンテンツデータが少なくとも１回は再生されていることを認識した場合には、このアイコン情報３４２Ｎdのアクセスタイム３４５を認識する（ステップＳ８０７）。この後、プログラム使用領域に記憶させた操作日時Tを読み出し、この操作日時Tとアクセスタイム３４５との時間差分、すなわちコンテンツデータが最後に再生されてからの経過日数を求める。そして、例えば図９のグラフに基づいて、求めた経過日数から仮想グラフィックスプレーンのアルファ値を決定する（ステップＳ８０８）。
【０２０７】
この後、アイコン加工手段３２３Ａは、仮想グラフィックスプレーンのアルファ値をステップＳ８０８において決定したアルファ値に設定する（ステップＳ８０９）。そして、カウンタ３２３Ｅのカウンタ値ｉを１だけ増やした（ステップＳ８１０）後に、ステップＳ８０５の処理を実施する。そして、アイコン加工手段３２３Ａは、ｎ個の仮想グラフィックスプレーンを生成した後にアイコンの加工処理を終了する。
【０２０８】
そして、サーバ装置３２０は、送信制御手段３２３Ｃにて、プログラム使用領域に記憶されたＨＰ表示情報３４０のアイコン付加情報３４３を参照して、コンテンツデータのファイル名を認識する。この後、送信制御手段３２３Ｃは、認識したファイル名のコンテンツデータをコンテンツ記憶領域２２２Ｂから検索して取得する。そして、このコンテンツデータを、プログラム使用領域に記憶されたＨＰ表示情報３４０、および、アイコン加工手段３２３Ａにおいて生成された仮想グラフィックスプレーンとともに、端末装置３３０へ送信する。
【０２０９】
端末装置３３０は、表示制御手段３３６Ａにて、サーバ装置３２０からＨＰデータを受信すると、この受信したＨＰデータをメモリ３３５に適宜読み出し可能に記憶させる。次に、メモリ３３５からＨＰ表示情報３４０および仮想グラフィックスプレーンを読み出す。そして、読み出したＨＰ表示情報３４０に基づいてＨＰを表示部２３３に表示させる。また、ＨＰ表示情報３４０のアイコン付加情報３４３に基づいて、仮想グラフィックスプレーンをＨＰの所定位置に配置して表示させる。これにより、表示部２３３には、例えば図１１に示されるように、経過日数に対応して表示形態が異なるアイコン画像６０ｉが表示される。なお、このとき１回も再生されていないコンテンツデータのアイコン画像６０ｉは、ここでは図示しないが、例えばモノトーン調など、経過日数により変更する表示形態とは異なる表示形態で表示され、経過日数に対応してその表示形態は変更されない。
【０２１０】
（アクセスタイムの更新処理）
次に、アクセスタイムの更新処理について、図２０に基づいて説明する。まず、利用者は、ＨＰ表示システム３００に上述したアイコンの加工処理を実施させることにより、端末装置３３０の表示部２３３にアイコン画像６０ｉを表示させる。そして、例えば操作部２３２の入力操作にて、表示部２３３に表示され所望のコンテンツデータに関連付けられたアイコン画像６０ｉを選択することにより、コンテンツデータの再生を開始する旨を設定入力する。
【０２１１】
端末装置３３０は、表示制御手段３３６Ａにて、コンテンツデータの再生を開始する旨の設定入力を認識すると、例えば以下の処理を実施する。まず、表示制御手段３３６Ａは、コンテンツデータをメモリ３３５から検索して読み出す。そして、この読み出したコンテンツデータを表示部２３３や音声出力部２３４へ出力して再生を開始する。この後、表示制御手段３３６Ａは、再生開始通知情報を生成し、この再生開始通知情報をネットワーク２１０を介してサーバ装置３２０へ送信する。
【０２１２】
一方で、サーバ装置３２０は、アクセスタイム更新手段３２３Ｂにて、再生開始通知情報を受信すると、この再生開始通知情報に基づいて端末装置３３０がコンテンツデータの再生を開始した旨を認識する（ステップＳ９０１）。そして、アクセスタイム更新手段３２３Ｂは、サーバ計時手段３２３Ｄから現在時刻を取得して、この現在時刻を再生開始時刻Ｔpとしてプログラム使用領域に適宜読み出し可能に記憶させる（ステップＳ９０２）。
【０２１３】
この後、利用者による例えば操作部２３２の入力操作にて、コンテンツデータの再生を中止する旨の設定入力されると、端末装置３３０は、表示制御手段２３６Ａにてコンテンツデータの再生を中止する旨の設定入力を認識する。そして、表示制御手段２３６Ａはコンテンツデータの再生を中止する。この後、表示制御手段２３６Ａは、再生中止通知情報を生成し、この再生中止通知情報をネットワーク２１０を介してサーバ装置３２０へ送信する。
【０２１４】
サーバ装置３２０は、ステップＳ９０２の処理を実施した後、所定時間の例えば１分後に、アクセスタイム更新手段３２３Ｂにて、端末装置３３０から再生中止通知情報を受信したか否を判断する（ステップＳ９０３）。なお、ここでは所定時間を１分とした構成について例示したが、これに限らず例えば３０秒や３分などとしてもよい。
【０２１５】
アクセスタイム更新手段３２３Ｂは、ステップＳ９０３において、再生中止通知情報を受信していないと判断した場合には、再びステップＳ９０３の処理を実施する。
【０２１６】
一方で、ステップＳ９０３において、再生中止通知情報を受信していると判断した場合には、サーバ計時手段３２３Ｄから現在時刻を取得して、この現在時刻を再生終了時刻Ｔeとしてプログラム使用領域に適宜読み出し可能に記憶させる（ステップＳ９０４）。この後、再生開始時刻Ｔpおよび再生終了時刻Ｔeをメモリ２３５から読み出して、これらの時間差分、すなわちコンテンツデータのデータ処理期間としての再生時間が予め定められた所定時間の例えば１分よりも長いか否かを判断する（ステップＳ９０５）。なお、ここでは所定時間を１分とした構成について例示したが、これに限らず例えば３０秒や３分などとしてもよい。
【０２１７】
アクセスタイム更新手段３２３Ｂは、ステップＳ９０５において、再生時間が１分よりも短いと判断した場合には、アクセスタイムの更新処理を終了する。
【０２１８】
一方で、ステップＳ９０５において、再生時間が１分よりも長いと判断した場合には、例えば以下の処理を実施する。まず、アクセスタイム更新手段３２３Ｂは、再生中止通知情報に記載されたアイコン情報３４２Ｎdを認識する。そして、この認識したアイコン情報３４２Ｎdと同一のアイコン情報３４２Ｎdが組み込まれたＨＰ表示情報３４０をＨＰ情報記憶領域２２２Ａから検索して読み出す。この後、この読み出したＨＰ表示情報３４０をプログラム使用領域に適宜読み出し可能に記憶させる。そして、プログラム使用領域に記憶させたＨＰ表示情報３４０から前記アイコン情報３４２Ｎdの再生済みフラグ３４４を読み出す。そして、読み出した再生済みフラグ３４４が「０」の場合には、コンテンツデータが少なくとも１回は再生されたことを示すフラグ情報「１」を生成する。この後、ＨＰ表示情報３４０をプログラム使用領域から読み出し、このＨＰ表示情報３４０の再生済みフラグ３４４を生成したフラグ情報「１」に変更する。そして、アクセスタイム３４５に再生終了日付を記載する。一方で、読み出した再生済みフラグ３４４が「１」の場合には、ＨＰ表示情報３４０のアクセスタイム３４５を再生終了日付に変更する（ステップＳ９０６）。そして、ＨＰ表示情報３４０を記憶手段２２２に記憶させてアクセスタイムの更新処理を終了する。
【０２１９】
〔第３実施形態の作用効果〕
上述したような第３実施形態では、ＨＰ表示システム３００のサーバ装置３２０は、アクセスタイム更新手段３２３Ｂにて再生中止通知情報を取得することによりコンテンツデータの再生が中止された旨を認識する。そして、再生終了時刻Ｔeをコンテンツデータのアクセスタイム３４５として取得する。この後、サーバ装置３２０は、アイコン加工手段３２３Ａにて、コンテンツデータのアイコンを端末装置３３０の表示部２３３に表示させる旨の要求を認識すると、このコンテンツデータのアクセスタイム３４５を認識する。次に、アイコン加工手段３２３Ａは、アクセスタイム３４５からの経過日数に基づいて、アイコンが展開された仮想グラフィックスプレーンのアルファ値を決定する。そして、アルファ値が前記決定された値に設定された仮想グラフィックスプレーンを生成する。この後、この仮想グラフィックスプレーンを端末装置３３０へ送信することにより、端末装置３３０の表示部２３３にアイコンをアクセスタイム３４５に対応した表示形態で表示させる。
【０２２０】
このように、サーバ装置３２０は、仮想グラフィックスプレーンのアルファ値をアクセスタイム３４５からの経過日数に基づいて設定することにより、端末装置３３０の表示部２３３に例えば図１１に示すように、コンテンツデータが最後に再生されてからの経過日数によって表示形態が異なるアイコン画像６０ｉを表示させる。このため、利用者は、アイコン画像６０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【０２２１】
アイコン加工手段３２３Ａは、アイコンを表示させる旨の要求を認識すると操作日時Ｔを取得する。そして、操作日時Ｔとアクセスタイム３４５との時間差分を経過日数と認識し、この経過日数に基づいてアルファ値を決定する。このように、アイコンを表示させる旨の要求を認識した際の操作日時Ｔを基準にした経過日数に基づいてアルファ値を決定することにより、アイコン画像６０ｉの表示形態からコンテンツデータが最後に再生されてからの経過日数をより容易に認識できる。このため、各コンテンツに対する嗜好性をより容易に認識できる。
【０２２２】
サーバ装置３２０は、アクセスタイム更新手段３２３Ｂにてコンテンツデータの再生が開始された旨を認識すると、再生開始時刻Ｔpを取得する。また、サーバ装置３２０は、アクセスタイム更新手段３２３Ｂにてコンテンツデータの再生が中止された旨を認識すると、再生終了時刻Ｔeを取得する。この後、アクセスタイム更新手段３２３Ｂは、再生開始時刻Ｔpおよび再生終了時刻Ｔeから求められるコンテンツデータの再生時間が所定時間以上であるか否かを判断する。そして、再生時間が所定時間以上であると判断し場合には、再生終了日付をアクセスタイム３４５として記憶手段２２２に記憶させることによりアクセスタイム３４５を更新する。一方で、再生時間が所定時間以上でないと判断した場合には、アクセスタイム３４５を更新しない。このような構成により、例えば利用者が、例えば操作を誤って再生させるつもりがないコンテンツデータを再生させた場合でも、その再生時間が所定以下であればアクセスタイム３４５が更新されることがない。このため、アクセスタイム３４５は、利用者が再生させたいコンテンツデータが再生された場合のみに更新される。したがって、このアクセスタイム３４５からの経過日数に基づいて表示形態が変更されたアイコン画像６０ｉにより、各コンテンツに対する嗜好性をより確実に認識できる。
【０２２３】
アイコン加工手段３２３Ａは、アクセスタイム３４５からの経過日数に基づいて仮想グラフィックスプレーンのアルファ値すなわち透明度を変更する。このように、仮想グラフィックスプレーンの透明度を変更することにより、アイコン画像６０ｉの視覚的な認識のし易さを変更できる。このため、各コンテンツに対する嗜好性をより容易にかつ確実に認識できる。また、仮想グラフィックスプレーンのアルファ値を変更するだけの簡単な構成で、アイコン画像６０ｉの表示形態を変更できる。したがって、アイコン画像６０ｉの表示形態を変更する処理をより容易にかつ迅速に実施できる。
【０２２４】
アイコン加工手段３２３Ａは、アイコンを仮想グラフィックスプレーンに展開した後に、コンテンツデータが少なくとも１回は再生されているか否かを判断する。この後、コンテンツデータが少なくとも１回は再生されていると判断した場合には、アクセスタイム３４５からの経過日数に基づいて、仮想グラフィックスプレーンのアルファ値を決定する。一方で、コンテンツデータが１回も再生されていないと判断した場合には、仮想グラフィックスプレーンのアルファ値以外の設定を変更、例えば色調をモノトーン調へ変更する。このような構成により、少なくとも１回は再生されたコンテンツデータのアイコンは、再生されてからの経過日数に基づき透明度が変更されたアイコン画像６０ｉとして表示される。一方で、１回も再生されていないコンテンツデータのアイコンは、例えばモノトーン調のアイコン画像６０ｉとして表示される。このため、アイコン画像６０ｉの表示形態から１回も再生されていないコンテンツデータを容易に認識できる。また、例えば嗜好性が高いコンテンツデータを１回も再生せずに長時間が経過したとしても、アイコン画像６０ｉはモノトーン調で表示されるので、再生し忘れていたことを容易に認識できる。したがって、各コンテンツに対する嗜好性をより確実に認識できる。
【０２２５】
記憶手段２２２に、コンテンツデータが少なくとも１回は再生されているか否かを示す再生済みフラグ３４４を記憶させている。このため、アイコン加工手段３２３Ａは、アルファ値を決定する前に、再生済みフラグ３４４を参照するだけの簡単な処理により、コンテンツデータが少なくとも１回は再生されているか否かを認識できる。したがって、アイコン画像６０ｉの表示形態を変更する処理をより容易にかつ迅速に実施できる。
【０２２６】
記憶手段２２２に、アイコンのファイル名が記載されたアイコン付加情報３４３、および、コンテンツデータのアクセスタイム３４５などが１つのデータとして組み込まれたアイコン情報３４２Ｎdを記憶させている。このため、アイコン加工手段３２３Ａは、アルファ値を決定する際に、アイコンのファイル名を検索することによりアイコン情報３４２Ｎdを特定し、この特定したアイコン情報３４２Ｎdからアクセスタイム３４５を認識できる。したがって、アクセスタイム３４５を、簡単なデータ構造でかつアイコンのファイル名を検索するだけの簡単な方法で、容易にかつ迅速に認識でき、アルファ値を決定する処理時間を短縮できる。
【０２２７】
サーバ装置３２０に、サーバ計時手段３２３Ｄを設けている。このような構成により、例えばアクセスタイム更新手段３２３Ｂにおけるアクセスタイム３４５の更新処理に必要な、再生開始時刻Ｔpや再生終了時刻Ｔeを適宜迅速に取得できる。このため、例えばアクセスタイム３４５の更新処理などの処理時間を短縮できる。また、端末装置３３０は、サーバ計時手段３２３Ｄが計時する基準日時に基づいて処理が実施されたＨＰデータを取得できる。このため、端末装置３３０の表示部２３３に表示されるアイコン画像６０ｉの時間的な信頼性を高めることができる。したがって、各コンテンツに対する嗜好性をより正確に認識できる。
【０２２８】
ＨＰ表示システム３００を、サーバ装置３２０と、このサーバ装置３２０にネットワーク２１０を介して接続された端末装置３３０とを備えた構成としている。サーバ装置３２０に、コンテンツデータを記憶する記憶手段２２２と、この記憶手段２２２に記憶されたコンテンツデータを端末装置３３０へ適宜送信する送信制御手段３２３Ｃとを設けている。また、端末装置３３０に、コンテンツデータをサーバ装置３２０から適宜取得して、このコンテンツデータを表示部２３３に再生させる表示制御手段３３６Ａを設けている。このように、コンテンツデータをサーバ装置３２０から適宜取得させる構成とすることにより、メモリ２３５にコンテンツデータを常時記憶させる必要がなくなる。このため、メモリ２３５の容量を小さくできる。また、サーバ装置３２０の記憶手段２２２にコンテンツデータを記憶させたので、複数の端末装置３３０に同一のコンテンツデータを適宜送信できる。このため、コンテンツデータの共有化が可能な汎用性が高いＨＰ表示システム３００を提供できる。
【０２２９】
サーバ装置３２０の記憶手段２２２に、アイコンを記憶させている。そして、アイコン加工手段３２３Ａは、記憶手段２２２に記憶されたアイコンを仮想グラフィックスプレーンに展開し、この仮想グラフィックスプレーンのアルファ値を適宜設定する。この後、サーバ装置３２０は、送信制御手段３２３Ｃにて、このアルファ値が設定された仮想グラフィックスプレーンを端末装置３３０へ送信する。端末装置３３０は、表示制御手段３３６Ａにて、仮想グラフィックスプレーンを受信すると、この仮想グラフィックスプレーンによりアイコン画像６０ｉを表示部２３３に表示させる。このように、サーバ装置３２０の記憶手段２２２にアイコンを予め記憶させておくことにより、アイコン加工手段３２３Ａにてアイコンを取得する時間を短縮できる。したがって、アイコンを加工する処理時間を短縮できる。また、サーバ装置３２０の記憶手段２２２にアイコンを記憶させたので、複数の端末装置３３０に同一のアイコンを適宜送信できる。このため、アイコンの共有化が可能な汎用性が高いＨＰ表示システム３００を提供できる。さらに、端末装置３３０の表示制御手段３３６Ａにて、仮想グラフィックスプレーンをサーバ装置３２０から適宜取得する構成とした。このため、端末装置３３０のメモリ２３５にアイコンを常時記憶させる必要がなくなる。したがって、メモリ２３５の容量を小さくできる。
【０２３０】
サーバ装置３２０に、アイコン加工手段３２３Ａやアクセスタイム更新手段３２３Ｂなどを設け、アイコンの加工処理やアクセスタイムの更新処理などをサーバ装置３２０において実施する構成としている。このため、端末装置３３０の構成を簡略にできる。また、複数の端末装置３３０に対して、アイコン加工手段３２３Ａやアクセスタイム更新手段３２３Ｂにより同様の処理が実施されたＨＰデータの提供できる。このため、複数の端末装置３３０の表示部２３３に信頼性が高いアイコン画像６０ｉを表示可能な汎用性が高いＨＰ表示システム３００を提供できる。
【０２３１】
［他の実施形態］
なお、本発明は、上述した実施形態に限定されるものではなく、本発明の目的を達成できる範囲で以下に示される変形をも含むものである。
【０２３２】
すなわち、各実施形態において、再生終了日付をアクセスタイム４２Ｂ，２５４，３４５として適宜設定する構成について例示したが、これに限らず例えば以下のような構成などとしてもよい。すなわち、再生開始日付やコンテンツデータが再生されている間の任意の日時などを、アクセスタイム４２Ｂ，２５４，３４５として適宜設定する構成などとしてもよい。このような構成にしても、各実施形態と同様の作用効果を奏することができる。
【０２３３】
各実施形態において、再生開始時刻Ｔpおよび再生終了時刻Ｔeから求められるコンテンツデータの再生時間に基づいて、アクセスタイム４２Ｂ，２５４，３４５の更新を実施するか否かを判断する構成について例示したが、これに限らず例えば以下のような構成などとしてもよい。すなわち、コンテンツデータが再生された際に、アクセスタイム４２Ｂ，２５４，３４５を必ず更新する構成などとしてもよい。このような構成にすれば、例えば再生終了時刻Ｔeをアクセスタイム４２Ｂ，２５４，３４５として適宜設定する構成の場合には、再生開始時刻Ｔpを取得する処理、すなわち第１実施形態におけるステップＳ５０２、第２，３実施形態におけるステップＳ９０２の処理を省略できる。また、例えば再生開始時刻Ｔpをアクセスタイム４２Ｂ，２５４，３４５として適宜設定する構成の場合には、再生終了時刻Ｔeを取得する処理、すなわち第１実施形態におけるステップＳ５０５、第２，３実施形態におけるステップＳ９０４の処理を省略できる。このため、アクセスタイム４２Ｂ，２５４，３４５を更新する処理時間を短縮できる。
【０２３４】
各実施形態において、再生済みフラグ４２Ａ，２５３，３４４を参照することにより、コンテンツデータが少なくとも１回は再生されているか否かを判断する構成について例示したが、これに限らず例えば以下のような構成などとしてもよい。すなわち、アクセスタイム４２Ｂ，２５４，３４５に情報が記載されているか否かにより、コンテンツデータが少なくとも１回は再生されているか否かを判断する構成などとしてもよい。このような構成にすれば、ＨＤＤ２２、メモリ２３５，３３５に再生済みフラグ４２Ａ，２５３，３４４を記憶させる必要がなくなるので、ＨＤＤ２２、メモリ２３５，３３５の容量を小さくできる。
【０２３５】
各実施形態において、アクセスタイム４２Ｂ，２５４，３４５からの経過日数に基づいて、仮想グラフィックスプレーンのアルファ値、すなわちサムネイル画像５０ｉやアイコン画像６０ｉの透明度を変更する構成について例示したが、これに限らず例えば以下のような構成などとしてもよい。すなわち、アクセスタイム４２Ｂ，２５４，３４５に基づいて、色調をセピア調やモノトーン調などに変更する構成、表示サイズや輝度などを変更する構成、グラデーションなどをかける構成、点滅させる構成などとしてもよい。このような構成にすれば、利用者は、サムネイル画像５０ｉやアイコン画像６０ｉの表示形態からコンテンツが最後に再生されてからの経過日数を容易に認識でき、各コンテンツに対する嗜好性を容易に認識できる。
【０２３６】
各実施形態において、仮想グラフィックスプレーンのアルファ値を、図９に示したようなグラフに基づいて設定する構成について例示したが、これに限らず例えば以下のような構成などとしてもよい。
【０２３７】
すなわち、経過日数が長くなるほどアルファ値を高く設定する構成などとしてもよい。このような構成にすれば、経過日数が長いコンテンツデータの例えばサムネイル画像５０ｉが不透明な画像となり。経過日数が短いコンテンツデータの例えばサムネイル画像５０ｉが半透明な画像となる。このため、サムネイル画像５０ｉの表示形態から長期間にわたって再生していないコンテンツデータを容易に認識できる。
【０２３８】
また、経過日数に伴いアルファ値を段階的に変更する構成、すなわち例えば経過日数が１ヶ月未満の場合にはアルファ値を２５５、１ヶ月以上でありかつ２ヶ月未満の場合にはアルファ値を２００、２ヶ月以上でありかつ３ヶ月未満の場合にはアルファ値を１５０などとしてもよい。このような構成にすれば、アルファ値を決定する際の閾値の数を減らすことができ、より容易にアルファ値を決定できる。
【０２３９】
さらに、経過日数によってアルファ値の変化量を変更する構成、すなわち例えば経過日数が１ヶ月未満の場合には変化量を小さく設定し、１ヶ月以上の場合には変化量を大きく設定する構成などとしてもよい。このような構成にすれば、経過日数が１ヶ月未満の場合と１ヶ月以上の場合とで、１日あたりの例えばサムネイル画像５０ｉの表示形態の変化量が異なる。このため、１日あたりのサムネイル画像５０ｉの表示形態から経過日数が所定日数以上経過したか否かを容易に認識できる。
【０２４０】
そして、経過日数が所定日数の例えば１ヶ月未満の場合には経過日数が長くなるほどアルファ値を例えば低く設定し、経過日数が１ヶ月以上の場合には経過日数が長くなるほどアルファ値を例えば高く設定する構成などとしてもよい。このような構成にすれば、経過日数が１ヶ月未満の場合には例えばサムネイル画像５０ｉは徐々に透明な画像に近づき、経過日数が１ヶ月以上の場合にはサムネイル画像５０ｉは徐々に不透明な画像に近づく。このため、サムネイル画像５０ｉの表示形態の変化から経過日数が所定時間以上経過したか否かを容易に認識できる。
【０２４１】
第１実施形態において、アルファ値を決定する際に、サムネイル４２Ｃを検索することによりアクセスタイム４２Ｂを認識する構成について例示したが、これに限らず例えば以下のような構成などとしてもよい。すなわち、プログラム情報４２のファイル名、サムネイル４２Ｃのファイル名、メインＴＳ４３のファイル名などを検索することによりアクセスタイム４２Ｂを認識する構成などとしてもよい。このような構成にすれば、アクセスタイム４２Ｂを、簡単なデータ構造で、かつ、プログラム情報４２のファイル名、サムネイル４２Ｃのファイル名、メインＴＳ４３のファイル名などを検索するだけの簡単な方法で、容易にかつ迅速に認識でき、アルファ値を決定する処理を簡略化できる。
【０２４２】
第２，３実施形態において、アルファ値を決定する際に、アイコンのファイル名を検索することによりアクセスタイム２５４，３４５を認識する構成について例示したが、これに限らず例えば以下のような構成などとしてもよい。すなわち、コンテンツデータのファイル名などを検索することによりアクセスタイム２５４，３４５を認識する構成などとしてもよい。このような構成にすれば、アクセスタイム２５４，３４５を、簡単なデータ構造で、かつ、コンテンツデータのファイル名を検索するだけの簡単な方法で、容易にかつ迅速に認識でき、アルファ値を決定する処理を簡略化できる。
【０２４３】
第１実施形態において、コンテンツ情報４０のコンテンツ付加情報４１に、コンテンツデータに関連付けられたキーワードなどを記載する構成などとしてもよい。このような構成にすれば、記録再生装置１０は、利用者の設定操作により入力されたキーワードなどを検索することにより、例えば複数のコンテンツ情報４０を特定する。そして、特定されたコンテンツ情報４０により再生されるコンテンツデータのサムネイル画像５０ｉのみを出力装置３０に表示させることができる。このため、嗜好性が高いコンテンツのサムネイル画像５０ｉのみを出力装置３０に表示させることが可能な汎用性が高い記録再生システム１００を提供できる。
【０２４４】
各実施形態において、ＨＤＤ２２に記憶されたサムネイル４２Ｃや、記憶手段２２２に記憶されたアイコンに加工処理を施すことにより、表示形態が異なるサムネイル画像５０ｉやアイコン画像６０ｉを表示させる構成について例示したが、これに限らず例えば以下のような構成などとしてもよい。すなわち、例えば第１実施形態において、サムネイル加工手段２５Ｃは、ステップＳ４０６において（ｉ−１）がサムネイルの表示数ｎに達していないと判断した場合に、メインＴＳ４３に組み込まれた映像データの一部を画像データ代表静止画像として取得する。そして、この取得した画像データ代表静止画像に加工処理を施す構成などとしてもよい。また、第２，３実施形態において、アイコン加工手段２３６Ｂ，３２３Ａは、ステップＳ８０５において（ｉ−１）がアイコンの表示数ｎに達していないと判断し場合に、記憶手段２２２に記憶されたコンテンツデータの一部を画像データ代表静止画像として取得する。そして、この取得した画像データ代表静止画像に加工処理を施す構成などとしてもよい。このような構成にすれば、サムネイル４２ＣをＨＤＤ２２に、アイコンを記憶手段２２２に常時記憶させる必要がなくなり、ＨＤＤ２２や記憶手段２２２の容量を小さくできる。
【０２４５】
第１実施形態において、ＨＤＤ２２に記憶されたメインＴＳ４３に組み込まれた映像データの一部を画像データとして取得し、この取得した画像データをサムネイル４２ＣとしてＨＤＤ２２に記憶させる構成について例示したが、これに限らず例えば以下のような構成などとしてもよい。すなわち、記録再生システム１００のＨＳＩ２１に、例えば第２実施形態のネットワーク２１０と同様のネットワークやファイバチャネルを介して、例えばＨＤやＤＶＤ（Digital Versatile Disc）などの記録媒体に記録された、例えば映画などのコンテンツの映像データなどを出力可能なサーバ装置としても機能する図示しない再生装置を接続する。そして、この再生装置から出力される映像データの一部を画像データとして取得し、この取得した画像データをサムネイル４２ＣとしてＨＤＤ２２に記憶させる構成などとしてもよい。このような構成にすれば、コンテンツを再生するためのメインＴＳ４３などの映像データをＨＤＤ２２に常時記憶させる必要がなくなるので、ＨＤＤ２２の容量を小さくできる。また、ＤＶＤを適宜交換することにより所望のコンテンツのサムネイル画像５０ｉを表示可能な汎用性が高い記録再生システム１００を提供できる。
【０２４６】
また、上述したような再生装置を備えた構成において、ＤＶＤにサムネイル用の画像データが予め記録されている場合には、例えば以下のような構成などとしてもよい。すなわち、サムネイル加工手段２５Ｃは、サムネイル画像５０ｉを表示させる際に、再生装置から出力されるサムネイル用の画像データを取得して、この取得した画像データに加工処理を施す構成などとしてもよい。このような構成にすれば、サムネイル４２ＣをＨＤＤ２２に常時記憶させる必要がなくなるので、ＨＤＤ２２の容量を小さくできる。また、ＤＶＤを適宜交換することにより所望のコンテンツのサムネイル画像５０ｉを表示可能な汎用性が高い記録再生システム１００を提供できる。
【０２４７】
さらに、以下のような構成としてもよい。すなわち、第１実施形態において、記録再生装置１０のＨＳＩ２１に、例えば第２実施形態のネットワーク２１０と同様のネットワークやファイバチャネルを介して、日時取得手段および表示形態変更手段などを備えた表示制御装置としても機能する図示しないサムネイル加工装置を接続する構成などとしてもよい。このような構成により、記録再生装置１０は、ＨＤＤ２２に記憶されたサムネイル４２Ｃをサムネイル加工装置に適宜出力する。そして、サムネイル加工装置は、日時取得手段や表示形態変更手段などにて、サムネイル４２Ｃを仮想グラフィックスプレーンに展開し、この仮想グラフィックスプレーンの例えばアルファ値を設定する。この後、この仮想グラフィックスプレーンを記録再生装置１０へ出力する。そして、記録再生装置１０は、仮想グラフィックスプレーンを出力装置３０へ出力し、出力装置３０の表示部３２にサムネイル画像５０ｉを表示させる。このため、記録再生装置１０を本発明の端末装置としても利用でき、記録再生装置１０の汎用性を高めることができる。
【０２４８】
第２実施形態において、アイコンの加工処理の際に、表示制御手段２３６Ａにてサーバ装置２２０から取得したアイコンに、アイコン加工手段２３６Ｂにて加工処理を施す構成について例示したが、これに限らず例えば以下のような構成などとしてもよい。すなわち、サーバ装置２２０から取得したアイコンを端末装置２３０のメモリ２３５に記憶させる。そして、例えばアイコンを取得した日と別の日にアイコンの加工処理を実施する際に、メモリ２３５に記憶されたアイコンを取得して加工処理を施す構成などとしてもよい。このような構成にすれば、アイコンの加工処理を実施する毎にアイコンをサーバ装置２２０から取得する必要がなくなる。このため、アイコン加工手段２３６Ｂにてアイコンを取得するまでの時間を短縮でき、アイコンを加工する処理時間を短縮できる。
【０２４９】
第２実施形態において、端末装置２３０に端末計時手段２３６Ｄを備えた構成について例示したが、これに限らず例えば以下のような構成などとしてもよい。すなわち、サーバ装置２２０に計時手段を設ける。そして、例えばアクセスタイム更新手段２３６Ｃにてアクセスタイムの更新処理を実施する際に、再生開始時刻Ｔpや再生終了時刻Ｔeをサーバ装置２２０の計時手段から取得する構成などとしてもよい。このような構成にすれば、端末装置２３０に端末計時手段２３６Ｄを設ける必要がなくなる。このため、端末装置２３０の構成を簡略化できる。また、端末装置２３０は、サーバ装置２２０の計時手段が計時する基準日時に基づいて、アクセスタイムの更新処理やアイコンの加工処理を実施できる。このため、表示部２３３に表示されるアイコン画像６０ｉの時間的な信頼性を高めることができる。
【０２５０】
第３実施形態において、サーバ装置３２０にサーバ計時手段３２３Ｄを備えた構成について例示したが、これに限らず例えば以下のような構成などとしてもよい。すなわち、端末装置３３０に計時手段を設ける。そして、例えばサーバ装置３２０のアクセスタイム更新手段３２３Ｂにてアクセスタイムの更新処理を実施する際に、再生開始時刻Ｔpや再生終了時刻Ｔeを端末装置３３０の計時手段から取得する構成などとしてもよい。このような構成にすれば、サーバ装置３２０にサーバ計時手段３２３Ｄを設ける必要がなくなる。このため、サーバ装置３２０の構成を簡略化できる。また、サーバ装置３２０の処理負荷などを低減でき、ＨＰデータの送受信をより迅速にできるＨＰ表示システム３００を提供できる。
【０２５１】
第１実施形態において、ステップＳ４１０の処理を設け、サムネイル画像５０ｉを表示させた後、所定日数が経過した場合にサムネイルの表示処理を終了させる構成について例示したが、これに限らず例えば以下のような構成などとしてもよい。すなわち、ステップＳ４０８において、再生要求情報を受信していないと判断した場合にステップＳ４０２に戻る。そして、ステップＳ４０８において再生要求情報を受信するまで、ステップＳ４０２ないしステップＳ４０８、ステップＳ４１１ないしステップＳ４１６の処理を繰り返す構成などとしてもよい。
【０２５２】
このような構成にすれば、ステップＳ４０７において表示中止指示情報を、または、ステップＳ４０８において再生要求情報を受信するまで、サムネイル画像５０ｉの表示形態を徐々に変化させることができる。そして、例えば経過日数が長いほどアルファ値を高く設定し、経過日数が所定時間以上の場合にはアルファ値を一定値に設定する構成にすれば、経過日数が短い嗜好性が高いサムネイル画像５０ｉは半透明や透明な画像として表示され、経過日数が長い嗜好性が低いサムネイル画像５０ｉは不透明な画像として表示される。この後、各サムネイル画像５０ｉを長時間表示させると、嗜好性が高いコンテンツのサムネイル画像５０ｉは徐々に不透明な画像に近づき、嗜好性が低いコンテンツのサムネイル画像５０ｉは不透明なままになる。このように、各サムネイル画像５０ｉを長時間表示させた場合に、嗜好性が高いサムネイル画像５０ｉの表示形態のみを徐々に変更させる構成とすることにより、嗜好性が高いコンテンツをより容易に認識できる。
【０２５３】
また、例えば１回目のステップＳ４０２の処理を実施した後には、図９のグラフに基づいてアルファ値を設定するとともに、アルファ値が一定値以下すなわち嗜好性が低いコンテンツのサムネイル画像５０ｉを認識する。そして、２回目以降のステップＳ４０２に処理を実施した後には、アルファ値が一定値以下だったサムネイル画像５０ｉのアルファ値を、例えば上述したように経過日数が長いほど高く設定する構成などとしてもよい。このような構成にすれば、最初にサムネイル画像５０ｉを表示させた際には、図１１に示すように、嗜好性が高いコンテンツのサムネイル画像５０ｉは不透明な画像として表示され、嗜好性が低いコンテンツのサムネイル画像５０ｉは半透明や透明な画像として表示される。この後、各サムネイル画像５０ｉを長期間表示させると、嗜好性が高いコンテンツのサムネイル画像５０ｉは不透明なままであるが、嗜好性が低いコンテンツのサムネイル画像５０ｉは徐々に不透明な画像に近づく。このように、各サムネイル画像５０ｉを長期間表示させた場合に、嗜好性が低いサムネイル画像５０ｉの表示形態のみを変更させる構成とすることにより、嗜好性が低いコンテンツをより容易に認識できる。
【０２５４】
第１実施形態の記録再生装置１０に、コンテンツデータの再生予約機能を設ける。そして、再生予約が設定されたコンテンツデータのサムネイル画像５０ｉの表示形態を、再生予約が設定された旨を示す表示形態に変更する構成などとしてもよい。このような構成にすれば、再生予約が設定され嗜好性がより高いコンテンツをより容易に認識できる。
【０２５５】
各実施形態において、本発明のデータを、テレビ番組や映画などの映像データとしたが、これに限らず例えば代表静止画像、音楽の音声データ、所定の処理を実施するプログラムデータ、アプリケーションウェア、各機器からの信号データなどとしてもよい。このような構成にしても、各実施形態と同様の作用効果を奏することができる。
【０２５６】
第１実施形態において、リモコンの設定操作により各情報を生成する構成について例示したが、これに限らず例えば記録再生装置１０に図示しない入力手段を設け、この入力手段の設定操作により各情報を生成する構成などとしてもよい。このような構成にすれば、例えばリモコンを紛失した場合でも入力手段の操作により各情報を生成できる。
【０２５７】
各実施形態において、ＨＤＤ２２、記憶手段２２２、メモリ２３５，３３５に記憶された各情報のデータ構造を上述したような構成としたが、これに限られず適宜他のデータ構造としてもよい。
【０２５８】
表示制御システムとして、出力装置３０に記録再生装置１０が接続された記録再生システム１００、サーバ装置２２０，３２０および端末装置２３０，３３０がネットワーク２１０を介して接続されたＨＰ表示システム２００，３００の構成について説明したが、この構成に限らず、例えば演算手段としてのコンピュータを用いたり、コンピュータに上記処理を実施させるためのプログラム、そして、さらにはこのプログラムを記録した記録媒体をも本発明の対象とすることができる。さらに、表示制御装置としての記録再生装置１０、端末装置２３０、サーバ装置３２０についても同様である。また、演算手段としてのコンピュータとしては、パーソナルコンピュータに限らず、複数のコンピュータがネットワーク状に接続された構成、マイクロコンピュータなどの素子、あるいは複数の電子部品が搭載された回路基板などをも含む。
【０２５９】
その他、本発明の実施の際に具体的な構造および手順は、本発明の目的を達成できる範囲での他の構造などに適宜変更できる。
【０２６０】
［実施形態の作用効果］
上述したような実施形態では、記録再生システム１００の記録再生装置１０は、コンテンツデータの再生日時を取得するコンテンツ情報生成手段２５Ｂと、コンテンツデータの再生日時からの経過日数に基づいてコンテンツデータに関連付けられたサムネイル画像５０ｉの表示形態を変更させるＧＦＸ１７およびサムネイル加工手段２５Ｃと、を備えている。このような構成により、記録再生装置１０は、ＧＦＸ１７およびサムネイル加工手段２５Ｃにて、コンテンツ情報生成手段２５Ｂにて取得したコンテンツデータの再生日時からの経過日数に基づいて、サムネイル画像５０ｉの表示形態を変更させる。このため、利用者は、サムネイル画像５０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【０２６１】
また、別の実施形態では、ＨＰ表示システム２００の端末装置２３０は、コンテンツデータの再生日時を取得するアクセスタイム更新手段２３６Ｃと、コンテンツデータの再生日時からの経過日数に基づいてコンテンツデータに関連付けられたアイコン画像６０ｉの表示形態を変更させるアイコン加工手段２３６Ｂと、を備えている。このような構成により、端末装置２３０は、アイコン加工手段２３６Ｂにて、アクセスタイム更新手段２３６Ｃにて取得したコンテンツデータの再生日時からの経過日数に基づいて、アイコン画像６０ｉの表示形態を変更させる。このため、利用者は、アイコン画像６０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【０２６２】
また、さらに別の実施形態では、ＨＰ表示システム３００のサーバ装置３２０は、コンテンツデータの再生日時を取得するアクセスタイム更新手段３２３Ｂと、コンテンツデータの再生日時からの経過日数に基づいてコンテンツデータに関連付けられたアイコン画像６０ｉの表示形態を変更させるアイコン加工手段３２３Ａと、を備えている。このような構成により、サーバ装置３２０は、アイコン加工手段３２３Ａにて、アクセスタイム更新手段３２３Ｂにて取得したコンテンツデータの再生日時からの経過日数に基づいて、端末装置３３０の表示部２３３に表示させるアイコン画像６０ｉの表示形態を変更させるための仮想グラフィックスプレーンを生成して端末装置３３０に送信する。端末装置３３０は、サーバ装置３２０からの仮想グラフィックスプレーンに基づいて表示部２３３にアイコン画像６０ｉを表示させる。このため、利用者は、アイコン画像６０ｉの表示形態からコンテンツデータが最後に再生されてからの経過日数を容易に認識できる。したがって、コンテンツデータが最後に再生されてからの経過日数により示される、各コンテンツに対する嗜好性を容易に認識できる。
【図面の簡単な説明】
【０２６３】
【図１】第１実施形態に係るコンテンツ記録再生システムの概略構成を示すブロック図である。
【図２】前記第１実施形態における記録再生装置のＨＤＤに記憶されたコンテンツ情報の概略構成を示す模式図である。
【図３】前記第１実施形態におけるコンテンツ情報に組み込まれたメインＴＳパケットの概略構成を示す模式図である。
【図４】前記第１実施形態における記録再生装置のＲＡＭの概略構成を示す模式図である。
【図５】前記第１実施形態における記録再生装置のＣＰＵの概略構成を示すブロック図である。
【図６】前記第１実施形態におけるコンテンツデータの記録処理を示すフローチャートである。
【図７】前記第１実施形態におけるサムネイルの表示処理を示すフローチャートである。
【図８】前記第１実施形態におけるサムネイルの表示処理を示すフローチャートである。
【図９】前記第１実施形態における経過日数とアルファ値との関係を示すグラフである。
【図１０】前記第１実施形態におけるコンテンツデータを再生した日時とサムネイルを出力装置に表示させる日時との関係を示す模式図である。    （Ａ）：コンテンツデータを２００２年５月３１日に再生した後、同日にサムネイルを表示させた場合の模式図である。    （Ｂ）：（Ａ）からコンテンツデータを再生することなく２００２年６月１４日にサムネイルを表示させた場合の模式図である。    （Ｃ）：（Ｂ）からコンテンツデータを再生することなく２００３年６月１５日にサムネイルを表示させた場合の模式図である。
【図１１】前記第１実施形態における出力装置に表示されるサムネイルを示す模式図である。
【図１２】前記第１実施形態におけるコンテンツデータの再生処理を示すフローチャートである。
【図１３】第２，３実施形態に係るＨＰ表示システムの概略構成を示すブロック図である。
【図１４】前記第２，３実施形態におけるサーバ装置の記憶手段の概略構成を示す模式図である。
【図１５】前記第２実施形態におけるサーバ装置の記憶手段に記憶されたＨＰ表示情報の概略構成を示す模式図である。
【図１６】前記第２実施形態におけるサーバ装置の処理部の概略構成を示すブロック図である。
【図１７】前記第２実施形態における端末装置のメモリに記憶された端末ＨＰ情報の概略構成を示す模式図である。
【図１８】前記第２実施形態における端末装置のＣＰＵの概略構成を示すブロック図である。
【図１９】前記第２，３実施形態におけるアイコンの加工処理を示すフローチャートである。
【図２０】前記第２，３実施形態におけるアクセスタイムの更新処理を示すフローチャートである。
【図２１】前記第３実施形態におけるサーバ装置の記憶手段に記憶されたＨＰ表示情報の概略構成を示す模式図である。
【図２２】前記第３実施形態におけるサーバ装置の処理部の概略構成を示すブロック図である。
【図２３】前記第３実施形態における端末装置のＣＰＵの概略構成を示すブロック図である。
【符号の説明】
【０２６４】
１０    表示制御装置としての記録再生装置
１７    表示形態変更手段としてのグラフィックス
２５Ｂ  再生日時記憶手段であるコンテンツ情報生成手段
２５Ｃ  表示形態変更手段としてのサムネイル加工手段
４２Ｂ，２５４，３４５  コンテンツデータ再生日時としてのアクセスタイム
５０ｉ  代表静止画像としてのサムネイル画像
６０ｉ  代表静止画像としてのアイコン画像
２３０    表示制御装置としての端末装置
２３３    表示手段としての表示部
２３６Ｂ，３２３Ａ  表示形態変更手段としてのアイコン加工手段
２３６Ｃ，３２３Ｂ  再生日時記憶手段であるアクセスタイム更新手段
３２０    表示制御装置としてのサーバ装置
３２３Ｃ  表示形態変更手段としても機能する送信制御手段
Ｔ    表示要求日時としての操作時刻
【図１】
2005108066.tif 000003
【図２】
2005108066.tif 000004
【図３】
2005108066.tif 000005
【図４】
2005108066.tif 000006
【図５】
2005108066.tif 000007
【図６】
2005108066.tif 000008
【図７】
2005108066.tif 000009
【図８】
2005108066.tif 000010
【図９】
2005108066.tif 000011
【図１０】
2005108066.tif 000012
【図１１】
2005108066.tif 000013
【図１２】
2005108066.tif 000014
【図１３】
2005108066.tif 000015
【図１４】
2005108066.tif 000016
【図１５】
2005108066.tif 000017
【図１６】
2005108066.tif 000018
【図１７】
2005108066.tif 000019
【図１８】
2005108066.tif 000020
【図１９】
2005108066.tif 000021
【図２０】
2005108066.tif 000022
【図２１】
2005108066.tif 000023
【図２２】
2005108066.tif 000024
【図２３】
2005108066.tif 000025